(57)【要約】  本出願は、CRSの少なくとも2つのグループのリソース構成状態を端末デバイスに示し、その結果、端末デバイスがデータを正しく受信し、データ受信性能を向上させることができる、データ送信方法を提供する。方法は、端末デバイスにより、ネットワークデバイスによって送信された指示情報を受信するステップであって、指示情報が、セル固有基準信号CRSのN個のグループによって占有されたリソースを特定するために使用され、Nが2以上の自然数である、ステップと、端末デバイスにより、指示情報に基づいて、CRSのN個のグループによって占有されたリソースを特定し、CRSのN個のグループによって占有されたリソースに基づいてデータを受信するステップとを含む。
2019536353.tif 000002
【特許請求の範囲】
【請求項１】
端末デバイスにより、ネットワークデバイスによって送信された指示情報を受信するステップであって、前記指示情報が、セル固有基準信号CRSのN個のグループによって占有されたリソースを特定するために使用され、Nが2以上の自然数である、ステップと、
前記端末デバイスにより、前記指示情報に基づいて、CRSの前記N個のグループによって占有された前記リソースを特定し、CRSの前記N個のグループによって占有された前記リソースに基づいてデータを受信するステップと
を備える、データ送信方法。
【請求項２】
前記指示情報が、以下の項目：前記データに対応するコードワード、前記コードワードがマッピングされるレイヤ、または前記コードワードがマッピングされるアンテナポートのうちの少なくとも1つに対応する、請求項1に記載の方法。
【請求項３】
端末デバイスにより、ネットワークデバイスによって送信された指示情報を受信する前記ステップが、
前記端末デバイスにより、前記ネットワークデバイスによって送信された前記第1の指示情報を受信するステップであって、前記第1の指示情報が、CRSの前記N個のグループのアンテナポートの数および周波数オフセットを示すために使用され、前記周波数オフセットが、周波数領域リソース内で前記CRSがマッピングされるリソース要素REの位置を示す、ステップを備える、請求項1または2に記載の方法。
【請求項４】
前記第1の指示情報が、CRSの前記N個のグループに対応するN個の第1のPQIのインデックスであり、各第1のPQIが、CRSの1つのグループのアンテナポートの数および周波数オフセットに関する情報を備え、
前記端末デバイスにより、前記ネットワークデバイスによって送信された前記第1の指示情報を受信する前記ステップが、
前記端末デバイスにより、前記ネットワークデバイスによって送信された前記N個の第1のPQIの前記インデックスを受信するステップを備える、請求項3に記載の方法。
【請求項５】
前記第1の指示情報が、CRSの前記N個のグループに対応するS個の第2のPQIのインデックスであり、各第2のPQIが、CRSの少なくとも1つのグループのアンテナポートの数および周波数オフセットに関する情報を備え、S∈［1，N）であり、Sが自然数であり、
前記端末デバイスにより、前記ネットワークデバイスによって送信された前記第1の指示情報を受信する前記ステップが、
前記端末デバイスにより、前記ネットワークデバイスによって送信された前記S個の第2のPQIの前記インデックスを受信するステップを備える、請求項3に記載の方法。
【請求項６】
前記第1の指示情報が、CRSの前記N個のグループに対応する1つの第2のPQIのインデックスであり、前記第2のPQIが、CRSの前記N個のグループの前記アンテナポートの数および前記周波数オフセットに関する情報を備える、請求項3に記載の方法。
【請求項７】
前記第2のPQIの前記インデックスが、データ送信のために前記端末デバイスによって現在使用されている物理ダウンリンク共有チャネルリソース要素マッピングおよび準コロケーション構成PDSCH−RE−mapping−QCL−Configパラメータセットを示すために使用される、請求項6に記載の方法。
【請求項８】
前記PDSCH−RE−mapping−QCL−Configパラメータセットが、無線リソース制御RRCシグナリングで搬送される、請求項7に記載の方法。
【請求項９】
前記第2のPQIが上位レイヤパラメータである、請求項5から8のいずれか一項に記載の方法。
【請求項１０】
前記第1の指示情報が、CRSの前記N個のグループに対応するCRSアンテナポートの数のN個のインデックス、およびCRSの前記N個のグループに対応するCRS周波数オフセットのN個のインデックスを備え、
前記端末デバイスにより、前記ネットワークデバイスによって送信された前記第1の指示情報を受信する前記ステップが、
前記端末デバイスにより、前記ネットワークデバイスによって送信された前記CRSアンテナポートの数の前記N個のインデックスおよび前記CRS周波数オフセットの前記N個のインデックスを受信するステップを備える、請求項3に記載の方法。
【請求項１１】
前記第1の指示情報が、CRSの前記N個のグループに対応するCRSアンテナポートの数および周波数オフセットのN個のインデックスであり、
前記端末デバイスにより、前記ネットワークデバイスによって送信された前記第1の指示情報を受信する前記ステップが、
前記端末デバイスにより、前記ネットワークデバイスによって送信された前記CRSアンテナポートの数および前記周波数オフセットの前記N個のインデックスを受信するステップを備える、請求項3に記載の方法。
【請求項１２】
前記第1の指示情報が構成情報のインデックスであり、前記構成情報が、CRSの前記N個のグループの各々のアンテナポートの数および周波数オフセットのインデックスを示し、
前記端末デバイスにより、前記ネットワークデバイスによって送信された前記第1の指示情報を受信する前記ステップが、
前記端末デバイスにより、前記ネットワークデバイスによって送信された前記構成情報の前記インデックスを受信するステップを備える、請求項3に記載の方法。
【請求項１３】
前記指示情報が、少なくとも1つのセルのセル識別子のインデックス、および前記少なくとも1つのセルのCRSアンテナポートの数に関する情報を備え、前記セル識別子がCRS周波数オフセットを特定するために使用され、前記CRS周波数オフセットが周波数領域リソース内で前記CRSがマッピングされるREの位置を示し、
端末デバイスにより、ネットワークデバイスによって送信された指示情報を受信する前記ステップが、
前記端末デバイスにより、前記ネットワークデバイスによって送信された前記少なくとも1つのセルの前記セル識別子の前記インデックス、および前記少なくとも1つのセルの前記CRSアンテナポートの数に関する前記情報を受信するステップを備える、請求項1または2に記載の方法。
【請求項１４】
前記指示情報が、少なくとも1つのセルのCRSアンテナポート構成情報に対応する少なくとも1つのインデックスであり、前記CRSアンテナポート構成情報が、セル識別子および対応するCRSアンテナポートの数、または前記セルのCRSアンテナポートの数および前記セルのCRS周波数オフセット、またはセル識別子、対応するCRSアンテナポートの数、および対応するCRS周波数オフセットを備え、
端末デバイスにより、ネットワークデバイスによって送信された指示情報を受信する前記ステップが、
前記端末デバイスにより、前記ネットワークデバイスによって送信された前記少なくとも1つのセルの前記CRSアンテナポート構成情報に対応する前記少なくとも1つのインデックスを受信するステップを備える、請求項1または2に記載の方法。
【請求項１５】
端末デバイスにより、ネットワークデバイスによって送信された指示情報を受信する前記ステップが、
前記端末デバイスにより、前記ネットワークデバイスによって送信されたダウンリンク制御情報DCIを受信するステップであって、前記DCIが前記指示情報を備える、ステップを備える、請求項1から14のいずれか一項に記載の方法。
【請求項１６】
セル固有基準信号CRSの前記N個のグループによって占有される前記リソースの一部が、1つのコードワードに対応するCRSによって占有されるリソースに対応する、請求項1から15のいずれか一項に記載の方法。
【請求項１７】
ネットワークデバイスにより、端末デバイスに指示情報を送信するステップであって、前記指示情報が、CRSのN個のグループによって占有されたリソースを特定するために使用され、CRSの前記N個のグループによって占有された前記リソースが、データを受信するように前記端末デバイスに指示するために使用され、Nが2以上の自然数である、ステップ
を備える、データ送信方法。
【請求項１８】
前記指示情報が、以下の項目：前記データに対応するコードワード、前記コードワードがマッピングされるレイヤ、または前記コードワードがマッピングされるアンテナポートのうちの少なくとも1つに対応する、請求項17に記載の方法。
【請求項１９】
ネットワークデバイスにより、端末デバイスに指示情報を送信する前記ステップが、
前記ネットワークデバイスにより、CRSの前記N個のグループを送信するためのアンテナポートの数および周波数オフセットを特定するステップと、
前記ネットワークデバイスにより、前記端末デバイスに第1の指示情報を送信するステップであって、前記第1の指示情報が、CRSの前記N個のグループの前記アンテナポートの数および前記周波数オフセットを示すために使用され、前記周波数オフセットが、周波数領域リソース内で前記CRSがマッピングされるリソース要素REの位置を示す、ステップとを備える、請求項17または18に記載の方法。
【請求項２０】
前記第1の指示情報が、CRSの前記N個のグループに対応するN個の第1のPQIのインデックスであり、各第1のPQIが、CRSの1つのグループのアンテナポートの数および周波数オフセットに関する情報を備え、
前記ネットワークデバイスにより、前記端末デバイスに前記第1の指示情報を送信する前記ステップが、
前記ネットワークデバイスにより、前記端末デバイスに前記N個の第1のPQIの前記インデックスを送信するステップを備える、請求項19に記載の方法。
【請求項２１】
前記第1の指示情報が、CRSの前記N個のグループに対応するS個の第2のPQIのインデックスであり、各第2のPQIが、CRSの少なくとも1つのグループのアンテナポートの数および周波数オフセットに関する情報を備え、S∈［1，N）であり、Sが自然数であり、
前記ネットワークデバイスにより、前記端末デバイスに前記第1の指示情報を送信する前記ステップが、
前記ネットワークデバイスにより、前記端末デバイスに前記S個の第2のPQIの前記インデックスを送信するステップを備える、請求項19に記載の方法。
【請求項２２】
前記第1の指示情報が、CRSの前記N個のグループに対応する1つの第2のPQIのインデックスであり、前記第2のPQIが、CRSの前記N個のグループの前記アンテナポートの数および前記周波数オフセットに関する情報を備える、請求項19に記載の方法。
【請求項２３】
前記第2のPQIの前記インデックスが、データ送信のために前記端末デバイスによって現在使用されている物理ダウンリンク共有チャネルリソース要素マッピングおよび準コロケーション構成PDSCH−RE−mapping−QCL−Configパラメータセットを示すために使用される、請求項22に記載の方法。
【請求項２４】
前記PDSCH−RE−mapping−QCL−Configパラメータセットが、無線リソース制御RRCシグナリングで搬送される、請求項23に記載の方法。
【請求項２５】
前記第2のPQIが上位レイヤパラメータである、請求項21から24のいずれか一項に記載の方法。
【請求項２６】
前記第1の指示情報が、CRSの前記N個のグループに対応するCRSアンテナポートの数のN個のインデックス、およびCRSの前記N個のグループに対応するCRS周波数オフセットのN個のインデックスを備え、
前記ネットワークデバイスにより、前記端末デバイスに前記第1の指示情報を送信する前記ステップが、
前記ネットワークデバイスにより、前記CRSアンテナポートの数の前記N個のインデックスおよび前記CRS周波数オフセットの前記N個のインデックスを前記端末デバイスに送信するステップを備える、請求項19に記載の方法。
【請求項２７】
前記第1の指示情報が、CRSの前記N個のグループに対応するCRSアンテナポートの数および周波数オフセットのN個のインデックスであり、
前記ネットワークデバイスにより、前記端末デバイスに前記第1の指示情報を送信する前記ステップが、
前記ネットワークデバイスにより、前記CRSアンテナポートの数のおよび前記周波数オフセットの前記N個のインデックスを前記端末デバイスに送信するステップを備える、請求項19に記載の方法。
【請求項２８】
前記第1の指示情報が構成情報のインデックスであり、前記構成情報が、CRSの前記N個のグループの各々のアンテナポートの数および周波数オフセットのインデックスを示し、
前記ネットワークデバイスにより、前記端末デバイスに前記第1の指示情報を送信する前記ステップが、
前記ネットワークデバイスにより、前記構成情報の前記インデックスを前記端末デバイスに送信するステップを備える、請求項19に記載の方法。
【請求項２９】
前記指示情報が、少なくとも1つのセルのセル識別子のインデックス、および前記少なくとも1つのセルのCRSアンテナポートの数に関する情報を備え、前記セル識別子がCRS周波数オフセットを特定するために使用され、前記CRS周波数オフセットが周波数領域リソース内で前記CRSがマッピングされるREの位置を示し、
ネットワークデバイスにより、端末デバイスに指示情報を送信する前記ステップが、
前記ネットワークデバイスにより、前記少なくとも1つのセルの前記セル識別子の前記インデックスおよび前記少なくとも1つのセルの前記CRSアンテナポートの数に関する前記情報を前記端末デバイスに送信するように決定するステップを備える、請求項17または18に記載の方法。
【請求項３０】
前記指示情報が、少なくとも1つのセルのCRSアンテナポート構成情報に対応する少なくとも1つのインデックスであり、前記CRSアンテナポート構成情報が、セル識別子および対応するCRSアンテナポートの数、または前記セルのCRSアンテナポートの数および前記セルのCRS周波数オフセット、またはセル識別子、対応するCRSアンテナポートの数、および対応するCRS周波数オフセットを備え、
ネットワークデバイスにより、端末デバイスに指示情報を送信する前記ステップが、
前記ネットワークデバイスにより、前記少なくとも1つのセルの前記CRSアンテナポート構成情報に対応する前記少なくとも1つのインデックスを前記端末デバイスに送信するように決定するステップを備える、請求項17または18に記載の方法。
【請求項３１】
ネットワークデバイスにより、端末デバイスに指示情報を送信する前記ステップが、
前記ネットワークデバイスにより、前記端末デバイスにダウンリンク制御情報DCIを送信するステップであって、前記DCIが前記指示情報を備える、ステップを備える、請求項17から30のいずれか一項に記載の方法。
【請求項３２】
セル固有基準信号CRSの前記N個のグループによって占有される前記リソースの一部が、1つのコードワードに対応するCRSによって占有されるリソースに対応する、請求項17から31のいずれか一項に記載の方法。
【請求項３３】
トランシーバ、プロセッサ、メモリ、およびバスシステムを備える端末デバイスであって、前記トランシーバ、前記プロセッサ、および前記メモリが前記バスシステムを使用して互いに接続され、
前記メモリが命令を記憶するように構成され、前記プロセッサが前記メモリに記憶された前記命令を実行するように構成され、その結果、前記プロセッサが、請求項1から16のいずれか一項に記載の方法を実行する、端末デバイス。
【請求項３４】
トランシーバ、プロセッサ、メモリ、およびバスシステムを備えるネットワークデバイスであって、前記トランシーバ、前記プロセッサ、および前記メモリが前記バスシステムを使用して互いに接続され、
前記メモリが命令を記憶するように構成され、前記プロセッサが前記メモリに記憶された前記命令を実行するように構成され、その結果、前記プロセッサが、請求項17から32のいずれか一項に記載の方法を実行する、ネットワークデバイス。
【請求項３５】
端末デバイスであって、前記端末デバイスが、請求項1から16のいずれか一項に記載の方法を実行するように構成された、端末デバイス。
【請求項３６】
ネットワークデバイスであって、前記ネットワークデバイスが、請求項17から32のいずれか一項に記載の方法を実行するように構成された、ネットワークデバイス。
【請求項３７】
コンピュータプログラムを備えるコンピュータ可読記憶媒体であって、前記コンピュータプログラムがコンピュータ上で動作すると、前記コンピュータが請求項1から32のいずれか一項に記載の方法を実行する、コンピュータ可読記憶媒体。
【請求項３８】
チップであって、前記チップが、コンピュータプログラムを記憶し、前記チップがコンピュータ上で動作すると、前記コンピュータが請求項1から32のいずれか一項に記載の方法を実行する、チップ。
【発明の詳細な説明】
【技術分野】
【０００１】
本出願は、参照によりその全体が本明細書に組み込まれる、2016年11月4日に中国特許庁に出願され、「DATA TRANSMISSION METHOD AND APPARATUS」と題する、中国特許出願第201610962416．0号の優先権を主張する。
【０００２】
本出願は通信分野に関し、より詳細には、データ送信方法および装置に関する。
【背景技術】
【０００３】
第3世代パートナーシッププロジェクト（3rd Generation Partner Project、3GPP）ロングタームエボリューションアドバンスト（Long Term Evolution Advanced、LTE−A）において、協調マルチポイント（Coordinated Multi−Point、CoMP）技術では、別々の地理的位置にある複数のネットワーク要素は連携して、ユーザ機器（user equipment、UE）と通信し、セルの端に位置するUEの干渉を低減し、セル端スループット（cell edge throughput）を改善し、それによって信頼性が改善される。
【０００４】
端末デバイスにデータを送信するとき、（たとえば、ネットワークデバイスAおよびネットワークデバイスBとして記録された）複数のネットワークデバイスは、チャネル推定のために端末デバイスにセル固有基準信号（Cell Reference Signal、CRS）を別々に送信する。従来技術では、端末デバイスにダウンリンク制御情報（Downlink Control Information、DCI）を送信するとき、サービングネットワークデバイス（たとえば、ネットワークデバイスA）は、サービングセル（すなわち、サービングネットワークデバイスに対応するセル）を示すために使用されるCRS構成情報をDCIに追加し、その結果、端末デバイスはCRS構成情報に基づいてデータを受信する。
【０００５】
しかしながら、複数のネットワークデバイスが同時に端末デバイスにデータを送信するとき、各ネットワークデバイスはCRSを送信する。端末デバイスは、サービングセルのCRSによって占有された時間周波数リソースのみを知るが、協調セル（たとえば、ネットワークデバイスBに対応するセル）のCRSによって占有された（たとえば、時間周波数リソースAとして記録された）時間周波数リソースは、サービングセルのCRSによって占有された（たとえば、時間周波数リソースBとして記録された）時間周波数リソースとは異なる場合がある。しかしながら、端末デバイスは、ネットワークデバイスが時間周波数リソースBでCRSを送信し、さらに時間周波数リソースBでデータを受信することを知らない。これにより、データ復号エラーが発生し、データ受信性能が低下する。
【発明の概要】
【課題を解決するための手段】
【０００６】
本出願は、CRSの少なくとも2つのグループのリソース構成状態を端末デバイスに示すために、データ送信方法および装置を提供し、その結果、端末デバイスは、データを正しく受信し、データ受信性能を向上させることができる。
【０００７】
第1の態様によれば、
端末デバイスにより、ネットワークデバイスによって送信された指示情報を受信するステップであって、指示情報が、セル固有基準信号CRSのN個のグループによって占有されたリソースを特定するために使用され、Nが2以上の自然数である、ステップと、
端末デバイスにより、指示情報に基づいて、CRSのN個のグループによって占有されたリソースを特定し、CRSのN個のグループによって占有されたリソースに基づいて、少なくとも1つのネットワークデバイスによって送信されたデータを受信するステップとを含む、データ送信方法が提供される。
【０００８】
ネットワークデバイスは、少なくとも1つのネットワークデバイスのうちのいずれか1つであってもよく、少なくとも1つのネットワークデバイスのうちの1つでなくてもよい。これは本出願では特に限定されない。
【０００９】
指示情報は、CRSアンテナポートの数およびCRS周波数オフセットに関する情報を直接的または間接的に示すために使用されてもよいことに留意されたい。CRSのN個のグループによって占有されたリソースの中で、CRSの任意の2つのグループに対応するCRSアンテナポートの数は互いに異なるか、またはCRSの任意の2つのグループに対応するCRS周波数オフセットは互いに異なるか、またはCRSの任意の2つのグループに対応するCRSアンテナポートの数とCRS周波数オフセットの両方は互いに異なる。
【００１０】
したがって、本出願のこの実施形態のデータ送信方法では、指示情報が端末デバイスに送信され、その結果、端末デバイスはCRSのN個のグループによって占有されたリソースを特定する。したがって、端末デバイスは、データを受信するときにすべてのネットワークデバイスのCRSリソースを考慮して、データを正しく受信し、受信性能を向上させることができる。
【００１１】
さらに、指示情報は、以下の項目：データに対応するコードワード、コードワードがマッピングされるレイヤ、またはコードワードがマッピングされるアンテナポート（すなわち、データアンテナポート）のうちの少なくとも1つに対応している。
【００１２】
場合によっては、端末デバイスにより、ネットワークデバイスによって送信された指示情報を受信するステップは、
端末デバイスにより、ネットワークデバイスによって送信されたダウンリンク制御情報DCIを受信するステップであって、DCIが指示情報を含む、ステップを含む。
【００１３】
したがって、既存のプロトコルにおけるDCIの各フィールドが修正または拡張された後、指示情報はDCI内で運ばれ、その結果、端末デバイスは、物理ダウンリンク制御チャネル（Physical Downlink Control Channel、PDCCH）で受信されたDCIに基づいて、CRSのN個のグループによって占有されたリソースを特定して、物理ダウンリンク共有チャネル（Physical Downlink Shared Channel、PDSCH）でデータを正しく受信し、データ受信性能を向上させることができる。
【００１４】
第1の態様を参照して、第1の態様の第1の可能な実装形態では、指示情報は、CRSのN個のグループのアンテナポートの数および周波数オフセットを示すために使用される第1の指示情報を含み、
端末デバイスにより、ネットワークデバイスによって送信された指示情報を受信するステップは、
端末デバイスにより、ネットワークデバイスによって送信された第1の指示情報を受信するステップを含む。
【００１５】
したがって、CRSアンテナポートの数および周波数オフセットを直接示すために使用される第1の指示情報が端末デバイスに送信され、その結果、端末デバイスは、第1の指示情報に基づいて、CRSのN個のグループによって占有されたリソースを直接特定して、データを正しく受信し、受信性能を向上させることができる。
【００１６】
可能な設計では、第1の指示情報は、CRSのN個のグループに対応するN個の第1の物理ダウンリンク制御チャネルリソース要素マッピングおよび準コロケーションインジケータPQIのインデックスであり、各第1のPQIはCRSの1つのグループのアンテナポートの数および周波数オフセットに関する情報を含み、
端末デバイスにより、ネットワークデバイスによって送信された第1の指示情報を受信するステップは、
端末デバイスにより、ネットワークデバイスによって送信されたN個の第1のPQIのインデックスを受信するステップを含み、
端末デバイスにより、指示情報に基づいて、CRSのN個のグループによって占有されたリソースを特定するステップは、
端末デバイスにより、第1のマッピング関係およびN個の第1のPQIのインデックスに基づいて、CRSのN個のグループによって占有されたリソースを特定するステップであって、第1のマッピング関係が、複数の第1のPQIのインデックスと複数の上位レイヤパラメータグループとの間のマッピング関係を示すために使用される、ステップを含む。
【００１７】
場合によっては、第1のPQIのインデックスは、データ送信のために端末デバイスによって現在使用されている物理ダウンリンク共有チャネルリソース要素マッピングおよび準コロケーション構成（PDSCH−RE−mapping QCL−Config）パラメータセットを示すために使用される。
【００１８】
場合によっては、PDSCH−RE−mapping QCL−Configパラメータセットは、無線リソース制御（Radio Resource Control、RRC）シグナリングで搬送される。
【００１９】
場合によっては、第1のPQIは上位レイヤパラメータである。
【００２０】
可能な設計では、第1の指示情報は、CRSのN個のグループに対応するS個の第2のPQIのインデックスであり、各第2のPQIはCRSの少なくとも1つのグループのアンテナポートの数および周波数オフセットに関する情報を含み、S∈［1，N）であり、Sは自然数であり、
端末デバイスにより、ネットワークデバイスによって送信された第1の指示情報を受信するステップは、
端末デバイスにより、ネットワークデバイスによって送信されたS個の第2のPQIのインデックスを受信するステップを含み、
端末デバイスにより、指示情報に基づいて、CRSのN個のグループによって占有されたリソースを特定するステップは、
端末デバイスにより、第2のマッピング関係およびS個の第2のPQIのインデックスに基づいて、CRSのN個のグループによって占有されたリソースを特定するステップであって、第2のマッピング関係が、複数の第2のPQIと複数の上位レイヤパラメータグループセットとの間のマッピング関係を示すために使用される、ステップを含む。
【００２１】
場合によっては、第1の指示情報は1つの第2のPQIのインデックスであり、第2のPQIは、CRSのN個のグループのアンテナポートの数および周波数オフセットに関する情報を含む。
【００２２】
場合によっては、第2のPQIのインデックスは、データ送信のために端末デバイスによって現在使用されているPDSCH−RE−mapping QCL−Configパラメータセットを示すために使用される。
【００２３】
場合によっては、PDSCH−RE−mapping QCL−Configパラメータセットは、RRCシグナリングで搬送される。
【００２４】
場合によっては、第2のPQIは上位レイヤパラメータである。
【００２５】
可能な設計では、第1の指示情報は、CRSのN個のグループに対応するCRSアンテナポートの数のN個のインデックス、およびCRSのN個のグループに対応するCRS周波数オフセットのN個のインデックスを含み、CRSアンテナポートの数はCRSが送信されるアンテナポートの数を示し、CRS周波数オフセットは周波数領域リソース内でCRSがマッピングされるリソース要素REの位置を示し、
端末デバイスにより、ネットワークデバイスによって送信された第1の指示情報を受信するステップは、
端末デバイスにより、ネットワークデバイスによって送信されたCRSアンテナポートの数のN個のインデックスおよびCRS周波数オフセットのN個のインデックスを受信するステップを含み、
端末デバイスにより、指示情報に基づいて、CRSのN個のグループによって占有されたリソースを特定するステップは、
端末デバイスにより、第3のマッピング関係、第4のマッピング関係、CRSアンテナポートの数のN個のインデックス、およびCRS周波数オフセットのN個のインデックスに基づいて、CRSのN個のグループによって占有されたリソースを特定するステップであって、第3のマッピング関係が、複数のインデックスとCRSアンテナポートの複数の数との間のマッピング関係を示すために使用され、第4のマッピング関係が、複数のインデックスと複数のCRS周波数オフセットとの間のマッピング関係を示すために使用される、ステップを含む。
【００２６】
可能な設計では、第1の指示情報は、CRSのN個のグループに対応するCRSアンテナポートの数および周波数オフセットのN個のインデックスであり、CRSアンテナポートの数および周波数オフセットは、CRSが送信されるアンテナポートの数、およびCRSが周波数領域リソース内でマッピングされるREの位置を示し、
端末デバイスにより、ネットワークデバイスによって送信された第1の指示情報を受信するステップは、
端末デバイスにより、ネットワークデバイスによって送信されたCRSアンテナポートの数および周波数オフセットのN個のインデックスを受信するステップを含み、
端末デバイスにより、指示情報に基づいて、CRSのN個のグループによって占有されたリソースを特定するステップは、
端末デバイスにより、第5のマッピング関係ならびにCRSアンテナポートの数および周波数オフセットのN個のインデックスに基づいて、CRSのN個のグループによって占有されたリソースを特定するステップであって、第5のマッピング関係が、複数のインデックスとCRSアンテナポートの数および周波数オフセットに関する複数の情報との間のマッピング関係を示すために使用される、ステップを含む。
【００２７】
可能な設計では、第1の指示情報は構成情報のインデックスであり、構成情報は、CRSのN個のグループの各々のアンテナポートの数および周波数オフセットのインデックスを示し、CRSアンテナポートの数および周波数オフセットは、CRSが送信されるアンテナポートの数、および周波数領域リソース内でCRSがマッピングされるREの位置を示し、
端末デバイスにより、ネットワークデバイスによって送信された第1の指示情報を受信するステップは、
端末デバイスにより、ネットワークデバイスによって送信された構成情報のインデックスを受信するステップを含み、
端末デバイスにより、指示情報に基づいて、CRSのN個のグループによって占有されたリソースを特定するステップは、
端末デバイスにより、第6のマッピング関係および構成情報のインデックスに基づいて、CRSのN個のグループによって占有されたリソースを特定するステップであって、第6のマッピング関係が、構成情報の複数のインデックスとCRSの複数のグループのアンテナポートの数および周波数オフセットのインデックスとの間のマッピング関係を示すために使用されるか、または第6のマッピング関係が、構成情報の複数のインデックスとPQIの複数のグループのインデックスとの間のマッピング関係を示すために使用される、ステップを含む。
【００２８】
第1の態様を参照して、第1の態様の第2の可能な実装形態では、指示情報は、少なくとも1つのセルのセル識別子のインデックス、および少なくとも1つのセルのCRSアンテナポートの数に関する情報を含み、セル識別子はCRS周波数オフセットを特定するために使用され、CRS周波数オフセットは周波数領域リソース内でCRSがマッピングされるREの位置を示し、
端末デバイスにより、ネットワークデバイスによって送信された指示情報を受信するステップは、
端末デバイスにより、ネットワークデバイスによって送信された少なくとも1つのセルのセル識別子のインデックス、および少なくとも1つのセルのCRSアンテナポートの数に関する情報を受信するステップを含み、
端末デバイスにより、指示情報に基づいて、CRSのN個のグループによって占有されたリソースを特定するステップは、
端末デバイスにより、第7のマッピング関係、少なくとも1つのセル識別子のインデックス、および少なくとも1つのターゲットセルのCRSアンテナポートの数に関する情報に基づいて、CRSのN個のグループによって占有されたリソースを特定するステップであって、第7のマッピング関係が、複数のセル識別子のインデックスと複数のセルのセル識別子との間のマッピング関係を示すために使用される、ステップを含む。
【００２９】
セル識別子のインデックスは、セル識別子であってもよく、セル識別子を一意に示すために使用されるインデックス値であってもよい。これは本出願では特に限定されない。
【００３０】
したがって、CRS周波数オフセットは、セル識別子が示されるときに間接的に示されてもよい。加えて、CRSのN個のグループによって占有されたリソースは、データを正しく受信し、受信性能を向上させるために、セルのCRSアンテナポートの数に関する情報に基づいて特定されてもよい。
【００３１】
第1の態様を参照して、第1の態様の第3の可能な実装形態では、指示情報は、少なくとも1つのセルのCRSアンテナポート構成情報に対応する少なくとも1つのインデックスであり、CRSアンテナポート構成情報は、セル識別子および対応するCRSアンテナポートの数、またはセルのCRSアンテナポートの数およびセルのCRS周波数オフセット、またはセル識別子、対応するCRSアンテナポートの数、および対応するCRS周波数オフセットを含み、
端末デバイスにより、ネットワークデバイスによって送信された指示情報を受信するステップは、
端末デバイスにより、ネットワークデバイスによって送信された少なくとも1つのセルのCRSアンテナポート構成情報に対応する少なくとも1つのインデックスを受信するステップと、
端末デバイスにより、ネットワークデバイスによって送信された少なくとも1つのセル識別子のインデックスを受信するステップとを含み、
端末デバイスにより、指示情報に基づいて、CRSのN個のグループによって占有されたリソースを特定するステップは、
端末デバイスにより、第8のマッピング関係、および少なくとも1つのセルのCRSアンテナポート構成情報に対応する少なくとも1つのインデックスに基づいて、CRSのN個のグループによって占有されたリソースを特定するステップであって、第8のマッピング関係が、複数のインデックスと複数のCRSアンテナポート構成情報のインデックスとの間のマッピング関係を示すために使用される、ステップを含む。
【００３２】
したがって、CRS周波数オフセットはセル識別子が示されたときに間接的に示されてもよく、その結果、端末デバイスは、セル識別子とあらかじめ取得されたセルのCRSアンテナポート構成情報との間のマッピング関係に基づいて、CRSアンテナポートの数および周波数オフセットに関する情報を特定して、CRSのN個のグループによって占有されたリソースをさらに特定することができ、それによってデータが正しく受信され、受信性能が向上する。
【００３３】
（第1のマッピング関係から第8のマッピング関係を含む）上記の様々なマッピング関係は、無線リソース制御（Radio Resource Control、RRC）シグナリングを使用して端末デバイス向けに構成されてもよく、ネットワークデバイスおよび端末デバイスによって事前交渉され、各デバイスに記憶されてもよいことを理解されたい。
【００３４】
第2の態様によれば、
ネットワークデバイスにより、端末デバイスに指示情報を送信するステップであって、指示情報が、CRSのN個のグループによって占有されたリソースを特定するために使用され、CRSのN個のグループによって占有されたリソースが、少なくとも1つのネットワークデバイスによって送信されたデータを受信するように端末デバイスに指示するために使用され、Nが2以上の自然数である、ステップを含む、データ送信方法が提供される。
【００３５】
ネットワークデバイスは、少なくとも1つのネットワークデバイスのうちのいずれか1つであってもよく、少なくとも1つのネットワークデバイスのうちの1つでなくてもよい。これは本出願では特に限定されない。
【００３６】
指示情報は、CRSアンテナポートの数およびCRS周波数オフセットに関する情報を直接的または間接的に示すために使用されてもよいことに留意されたい。CRSのN個のグループによって占有されたリソースの中で、CRSの任意の2つのグループに対応するCRSアンテナポートの数は互いに異なるか、またはCRSの任意の2つのグループに対応するCRS周波数オフセットは互いに異なるか、またはCRSの任意の2つのグループに対応するCRSアンテナポートの数とCRS周波数オフセットの両方は互いに異なる。
【００３７】
したがって、本出願のこの実施形態のデータ送信方法では、指示情報が端末デバイスに送信され、その結果、端末デバイスはCRSのN個のグループによって占有されたリソースを特定する。したがって、端末デバイスは、データを受信するときにすべてのネットワークデバイスのCRSリソースを考慮して、データを正しく受信し、受信性能を向上させることができる。
【００３８】
さらに、指示情報は、以下の項目：データに対応するコードワード、コードワードがマッピングされるレイヤ、またはコードワードがマッピングされるアンテナポート（すなわち、データアンテナポート）のうちの少なくとも1つに対応している。
【００３９】
場合によっては、ネットワークデバイスにより、端末デバイスに指示情報を送信するステップは、
ネットワークデバイスにより、端末デバイスにダウンリンク制御情報DCIを送信するステップであって、DCIが指示情報を含む、ステップを含む。
【００４０】
したがって、既存のプロトコルにおけるDCIの各フィールドが修正または拡張された後、指示情報はDCI内で運ばれ、その結果、端末デバイスは、PDCCHで受信されたDCIに基づいて、CRSのN個のグループによって占有されたリソースを特定して、物理ダウンリンク共有チャネルPDSCHでデータを正しく受信し、データ受信性能を向上させることができる。
【００４１】
第2の態様を参照して、第2の態様の第1の可能な実装形態では、指示情報は、CRSのN個のグループのアンテナポートの数および周波数オフセットを示すために使用される第1の指示情報を含み、
ネットワークデバイスにより、端末デバイスに指示情報を送信するステップは、
ネットワークデバイスにより、CRSのN個のグループを送信するためのアンテナポートの数および周波数オフセットを特定するステップと、
ネットワークデバイスにより、CRSのN個のグループのアンテナポートの数および周波数オフセットに基づいて、端末デバイスに第1の指示情報を送信するステップとを含む。
【００４２】
したがって、CRSアンテナポートの数および周波数オフセットを直接示すために使用される第1の指示情報が端末デバイスに送信され、その結果、端末デバイスは、第1の指示情報に基づいて、CRSのN個のグループによって占有されたリソースを直接特定して、データを正しく受信し、受信性能を向上させることができる。
【００４３】
可能な設計では、第1の指示情報は、CRSのN個のグループに対応するN個の第1の物理ダウンリンク制御チャネルリソース要素マッピングおよび準コロケーションインジケータPQIのインデックスであり、各第1のPQIは、CRSの1つのグループのアンテナポートの数および周波数オフセットに関する情報を含み、
ネットワークデバイスにより、端末デバイスに第1の指示情報を送信するステップは、
ネットワークデバイスにより、端末デバイスにN個の第1のPQIのインデックスを送信するステップを含む。
【００４４】
場合によっては、第1のPQIのインデックスは、データ送信のために端末デバイスによって現在使用されているPDSCH−RE−mapping QCL−Configパラメータセットを示すために使用される。
【００４５】
場合によっては、PDSCH−RE−mapping QCL−Configパラメータセットは、RRCシグナリングで搬送される。
【００４６】
場合によっては、第1のPQIは上位レイヤパラメータである。
【００４７】
可能な設計では、第1の指示情報はS個の第2のPQIのインデックスであり、各第2のPQIは、CRSの少なくとも1つのグループのアンテナポートの数および周波数オフセットに関する情報を含み、S∈［1，N）であり、Sは自然数であり、
ネットワークデバイスにより、端末デバイスに第1の指示情報を送信するステップは、
ネットワークデバイスにより、端末デバイスにS個の第2のPQIのインデックスを送信するステップを含む。
【００４８】
場合によっては、第1の指示情報は1つの第2のPQIのインデックスであり、第2のPQIは、CRSのN個のグループのアンテナポートの数および周波数オフセットに関する情報を含む。
【００４９】
場合によっては、第2のPQIのインデックスは、データ送信のために端末デバイスによって現在使用されているPDSCH−RE−mapping QCL−Configパラメータセットを示すために使用される。
【００５０】
場合によっては、PDSCH−RE−mapping QCL−Configパラメータセットは、RRCシグナリングで搬送される。
【００５１】
場合によっては、第2のPQIは上位レイヤパラメータである。
【００５２】
可能な設計では、第1の指示情報は、CRSのN個のグループに対応するCRSアンテナポートの数のN個のインデックス、およびCRSのN個のグループに対応するCRS周波数オフセットのN個のインデックスを含み、CRSアンテナポートの数はCRSが送信されるアンテナポートの数を示し、CRS周波数オフセットは周波数領域リソース内でCRSがマッピングされるリソース要素REの位置を示し、
ネットワークデバイスにより、端末デバイスに第1の指示情報を送信するステップは、
ネットワークデバイスにより、CRSアンテナポートの数のN個のインデックスおよびCRS周波数オフセットのN個のインデックスを端末デバイスに送信するステップを含む。
【００５３】
可能な設計では、第1の指示情報は、CRSのN個のグループに対応するCRSアンテナポートの数および周波数オフセットのN個のインデックスであり、CRSアンテナポートの数および周波数オフセットは、CRSが送信されるアンテナポートの数、およびCRSが周波数領域リソース内でマッピングされるREの位置を示し、
ネットワークデバイスにより、端末デバイスに第1の指示情報を送信するステップは、
ネットワークデバイスにより、CRSアンテナポートの数および周波数オフセットのN個のインデックスを端末デバイスに送信するステップを含む。
【００５４】
可能な設計では、第1の指示情報は構成情報のインデックスであり、構成情報は、CRSのN個のグループの各々のアンテナポートの数および周波数オフセットのインデックスを示し、CRSアンテナポートの数および周波数オフセットは、CRSが送信されるアンテナポートの数、および周波数領域リソース内でCRSがマッピングされるREの位置を示し、
ネットワークデバイスにより、端末デバイスに第1の指示情報を送信するステップは、
ネットワークデバイスにより、端末デバイスに構成情報のインデックスを送信するステップを含む。
【００５５】
第2の態様を参照して、第2の態様の第2の可能な実装形態では、指示情報は、少なくとも1つのセルのセル識別子のインデックス、および少なくとも1つのセルのCRSアンテナポートの数に関する情報を含み、セル識別子はCRS周波数オフセットを特定するために使用され、CRS周波数オフセットは周波数領域リソース内でCRSがマッピングされるREの位置を示し、
ネットワークデバイスにより、端末デバイスに指示情報を送信するステップは、
ネットワークデバイスにより、少なくとも1つのセルのセル識別子のインデックス、および少なくとも1つのセルのCRSアンテナポートの数に関する情報を端末デバイスに送信するように決定するステップを含む。
【００５６】
セル識別子のインデックスは、セル識別子であってもよく、セル識別子を一意に示すために使用されるインデックス値であってもよい。これは本出願では特に限定されない。
【００５７】
したがって、CRS周波数オフセットは、セル識別子が示されるときに間接的に示されてもよい。加えて、CRSのN個のグループによって占有されたリソースは、データを正しく受信し、受信性能を向上させるために、セルのアンテナポートの数の構成情報に基づいて特定されてもよい。
【００５８】
第2の態様を参照して、第2の態様の第3の可能な実装形態では、指示情報は、少なくとも1つのセルのCRSアンテナポート構成情報に対応する少なくとも1つのインデックスであり、CRSアンテナポート構成情報は、セル識別子および対応するCRSアンテナポートの数、またはセルのCRSアンテナポートの数およびセルのCRS周波数オフセット、またはセル識別子、対応するCRSアンテナポートの数、および対応するCRS周波数オフセットを含み、
ネットワークデバイスにより、端末デバイスに指示情報を送信するステップは、
ネットワークデバイスにより、少なくとも1つのセルのCRSアンテナポート構成情報に対応する少なくとも1つのインデックスを端末デバイスに送信するように決定するステップを含む。
【００５９】
したがって、CRS周波数オフセットはセル識別子が示されたときに間接的に示されてもよく、その結果、端末デバイスは、セル識別子とあらかじめ取得されたセルのCRSアンテナポート構成情報との間のマッピング関係に基づいて、CRSアンテナポートの数および周波数オフセットに関する情報を特定して、CRSのN個のグループによって占有されたリソースをさらに特定することができ、それによってデータが正しく受信され、受信性能が向上する。
【００６０】
第3の態様によれば、第1の態様または第1の態様の任意の可能な実装形態による方法を実行するために端末デバイスが提供される。具体的には、端末デバイスは、第1の態様または第1の態様の任意の可能な実装形態による方法を実行するように構成されたユニットを含んでもよい。
【００６１】
第4の態様によれば、第2の態様または第2の態様の任意の可能な実装形態による方法を実行するためにネットワークデバイスが提供される。具体的には、ネットワークデバイスは、第2の態様または第2の態様の任意の可能な実装形態による方法を実行するように構成されたユニットを含んでもよい。
【００６２】
第5の態様によれば、トランシーバ、プロセッサ、メモリ、およびバスシステムを含む端末デバイスが提供され、トランシーバ、プロセッサ、およびメモリはバスシステムを使用して互いに接続され、メモリは命令を記憶するように構成され、プロセッサはメモリに記憶された命令を実行するように構成され、その結果、プロセッサは、第1の態様または第1の態様の任意の可能な実装形態による方法を実行する。
【００６３】
第6の態様によれば、トランシーバ、プロセッサ、メモリ、およびバスシステムを含むネットワークデバイスが提供され、トランシーバ、プロセッサ、およびメモリはバスシステムを使用して互いに接続され、メモリは命令を記憶するように構成され、プロセッサはメモリに記憶された命令を実行するように構成され、その結果、プロセッサは、第2の態様または第2の態様の任意の可能な実装形態による方法を実行する。
【００６４】
第7の態様によれば、コンピュータ可読記憶媒体が提供され、コンピュータプログラムを記憶するように構成され、コンピュータプログラムは、第1の態様または第1の態様の任意の可能な実装形態による方法を実行するために使用される命令を含む。
【００６５】
第8の態様によれば、コンピュータ可読記憶媒体が提供され、コンピュータプログラムを記憶するように構成され、コンピュータプログラムは、第2の態様または第2の態様の任意の可能な実装形態による方法を実行するために使用される命令を含む。
【００６６】
第9の態様によれば、コンピュータプログラム製品が提供され、コンピュータプログラム製品はコンピュータプログラムコードを含み、コンピュータプログラムコードがコンピュータ上で動作すると、コンピュータは第1の態様または第1の態様の任意の可能な実装形態による方法を実行する。
【００６７】
第10の態様によれば、コンピュータプログラム製品が提供され、コンピュータプログラム製品はコンピュータプログラムコードを含み、コンピュータプログラムコードがコンピュータ上で動作すると、コンピュータは第2の態様または第2の態様の任意の可能な実装形態による方法を実行する。
【００６８】
本出願で提供されるネットワークデバイスは、上記の方法の態様におけるネットワークデバイスの動作を実施する機能を有し、上記の方法の態様に記載されたステップまたは機能を実施するように構成された対応する構成要素（means）を含む。ステップまたは機能は、ソフトウェア、ハードウェア、またはソフトウェアとハードウェアの組合せを使用して実施されてもよい。
【００６９】
可能な設計では、上記のネットワークデバイスは、1つまたは複数のプロセッサおよび通信ユニットを含む。1つまたは複数のプロセッサは、上記の方法における対応する機能を実行する、たとえば、指示情報を生成する際に、ネットワークデバイスをサポートするように構成される。通信ユニットは、受信機能および／または送信機能を実施するために別のデバイスと通信する、たとえば、プロセッサによって生成された指示情報を送信する際に、ネットワークデバイスをサポートするように構成される。
【００７０】
場合によっては、ネットワークデバイスは、1つまたは複数のメモリをさらに含んでもよく、メモリはプロセッサに結合するように構成され、ネットワークデバイスに必要なプログラム命令および／またはデータを記憶する。1つまたは複数のメモリは、プロセッサと一体化されてもよく、プロセッサと別々に配置されてもよい。これは本出願では限定されない。
【００７１】
ネットワークデバイスは、基地局、gNB、TRPなどであってもよい。通信ユニットは、トランシーバまたはトランシーバ回路であってもよい。場合によっては、トランシーバは、入出力回路または入出力インターフェースであってもよい。
【００７２】
ネットワークデバイスは、代替として通信チップであってもよい。通信ユニットは、通信チップの入出力回路または入出力インターフェースであってもよい。
【００７３】
本出願は装置をさらに提供する。装置は、上記の方法の態様における端末の動作を実施する機能を有し、上記の方法の態様に記載されたステップまたは機能を実施するように構成された対応する構成要素（means）を含む。ステップまたは機能は、ソフトウェア、ハードウェア、またはソフトウェアとハードウェアの組合せを使用して実施されてもよい。
【００７４】
可能な設計では、上記の装置は、1つまたは複数のプロセッサおよび通信ユニットを含む。1つまたは複数のプロセッサは、上記の方法における対応する機能を実行する、たとえば、CRSのN個のグループによって占有されたリソースを特定する際に、装置をサポートするように構成される。通信ユニットは、受信機能および／または送信機能を実施するために別のデバイスと通信する、たとえば、指示情報を受信するかまたはデータを受信する際に、装置をサポートするように構成される。
【００７５】
場合によっては、装置は、1つまたは複数のメモリをさらに含んでもよく、メモリはプロセッサに結合するように構成され、装置に必要なプログラム命令および／またはデータを記憶する。1つまたは複数のメモリは、プロセッサと一体化されてもよく、プロセッサと別々に配置されてもよい。これは本出願では限定されない。
【００７６】
装置は、インテリジェント端末、ウェアラブルデバイスなどであってもよい。通信ユニットは、トランシーバまたはトランシーバ回路であってもよい。場合によっては、トランシーバは、入出力回路または入出力インターフェースであってもよい。
【００７７】
装置は、代替として通信チップであってもよい。通信ユニットは、通信チップの入出力回路または入出力インターフェースであってもよい。
【００７８】
第11の態様によれば、チップシステムが提供され、チップシステムは、上記の態様における機能を実施する、たとえば、上記の方法においてデータおよび／または情報を生成、受信、送信、または処理する際に、端末デバイスをサポートするように構成されたプロセッサを含む。可能な設計では、チップシステムはメモリをさらに含み、メモリは端末デバイスに必要なプログラム命令およびデータを記憶するように構成される。チップシステムはチップを含んでもよく、チップおよび他の個別デバイスを含んでもよい。
【００７９】
第12の態様によれば、チップシステムが提供され、チップシステムは、上記の態様における機能を実施する、たとえば、上記の方法においてデータおよび／または情報を生成、受信、送信、または処理する際に、ネットワークデバイスをサポートするように構成されたプロセッサを含む。可能な設計では、チップシステムはメモリをさらに含み、メモリは端末デバイスに必要なプログラム命令およびデータを記憶するように構成される。チップシステムはチップを含んでもよく、チップおよび他の個別デバイスを含んでもよい。
【図面の簡単な説明】
【００８０】
【図１】本出願の一実施形態に適用可能なワイヤレス通信システムの概略図である。
【図２】本出願の一実施形態に適用可能なCoMP送信シナリオの概略図である。
【図３Ａ】従来のサイクリックプレフィックス（Cyclic Prefix、CP）のケースにおける様々な数のアンテナポートの下でのCRSのREのマッピング位置図である。
【図３Ｂ】従来のサイクリックプレフィックス（Cyclic Prefix、CP）のケースにおける様々な数のアンテナポートの下でのCRSのREのマッピング位置図である。
【図４】本出願の一実施形態によるデータ送信方法の概略フローチャートである。
【図５】本出願の一実施形態による端末デバイスの概略ブロック図である。
【図６】本出願の一実施形態によるネットワークデバイスの概略ブロック図である。
【図７】本出願の一実施形態による端末デバイスの別の概略ブロック図である。
【図８】本出願の一実施形態によるネットワークデバイスの別の概略ブロック図である。
【発明を実施するための形態】
【００８１】
以下で、添付の図面を参照して本出願の技術的解決策を記載する。
【００８２】
本出願における技術的解決策は、モバイル通信用グローバルシステム（Global System of Mobile communication、GSM(登録商標)）、符号分割多元接続（Code Division Multiple Access、CDMA）システム、広帯域符号分割多元接続（Wideband Code Division Multiple Access、WCDMA(登録商標)）システム、汎用パケット無線サービス（General Packet Radio Service、GPRS）、ロングタームエボリューション（Long Term Evolution、LTE）システム、ロングタームエボリューションアドバンスト（Advanced long term evolution、LTE−A）システム、ユニバーサルモバイルテレコミュニケーションシステム（Universal Mobile Telecommunications System、UMTS）、および5Gシステムなどの、様々な通信システムに適用されてもよいことを理解されたい。
【００８３】
図1は、本出願の一実施形態に適用可能なワイヤレス通信システム100を示す。ワイヤレス通信システム100は、少なくとも1つのネットワークデバイス、たとえば、図1に示された第1のネットワークデバイス110および第2のネットワークデバイス120を含んでもよい。第1のネットワークデバイス110と第2のネットワークデバイス120の両方は、ワイヤレスエアインターフェースを介して端末デバイス130と通信することができる。第1のネットワークデバイス110および第2のネットワークデバイス120は、特定の地理的エリア向けの通信カバレージを提供することができ、そのカバレージエリア内に位置する端末デバイスと通信することができる。第1のネットワークデバイス110または第2のネットワークデバイス120は、GSM(登録商標)システムもしくはCDMAシステムにおけるトランシーバ基地局（Base Transceiver Station、BTS）、WCDMA(登録商標)システムにおけるノードB（NodeB）、LTEシステムにおける発展型ノードB（Evolutional NodeB、eNB、もしくはeNodeB）、または将来の5Gネットワークにおけるネットワークデバイス、たとえば、送信ポイント（Transmission Point、TP）、送受信ポイント（Transmission Reception Point、TRP）、5G gNB（gNB）、基地局、もしくはスモールセルデバイスであってもよい。これは本出願のこの実施形態では特に限定されない。
【００８４】
たとえば、第1のネットワークデバイス110または第2のネットワークデバイス120は、発展型ノードB（evolved NodeB、eNB）、無線ネットワークコントローラ（Radio Network Controller、RNC）、ノードB（NodeB、NB）、基地局コントローラ（Base Station Controller、BSC）、トランシーバ基地局（Base Transceiver Station、BTS）、ホームeノードB（たとえば、Home evolved NodeBもしくはHome Node B、HNB）、ベースバンドユニット（BaseBand Unit、BBU）、ワイヤレスフィデリティ（Wireless Fidelity、WIFI）、アクセスポイント（Access Point、AP）、または送信ポイント（transmission and receiver point、TRP もしくはtransmission point、TP）であってもよく、新無線（new radio、NR）システムなどの5GシステムにおけるgNBまたは送信ポイント（TRPもしくはTP）であってもよく、gNBまたは送信ポイントを含むネットワークノード、たとえば、ベースバンドユニット（BBU）またはデータユニット（DU、data unit）であってもよい。
【００８５】
いくつかの配置では、gNBは、制御ユニット（control unit、CU）およびデータユニット（DU）を含んでもよい。gNBは、無線周波数ユニット（RU、radio unit）をさらに含んでもよい。CUはgNBのいくつかの機能を実装し、DUはgNBのいくつかの機能を実装する。たとえば、CUは、無線リソース制御（radio resource control、RRC）レイヤおよびパケットデータコンバージェンスプロトコル（packet data convergence protocol、PDCP）レイヤの機能を実装し、DUは、無線リンク制御（radio link control、RLC）レイヤ、媒体アクセス制御（media access control、MAC）レイヤ、および物理（physical、PHY）レイヤの機能を実装する。RRCレイヤにおける情報は、最終的にPHYレイヤにおける情報になってもよく、PHYレイヤにおける情報から変換されてもよい。したがって、このアーキテクチャでは、RRCレイヤシグナリングまたはPHCPレイヤシグナリングなどの上位レイヤシグナリングも、DUによって送信されている、またはDUおよびRUによって送信されていると見なされてもよい。
【００８６】
ワイヤレス通信システム100は、第1のネットワークデバイス110および第2のネットワークデバイス120のカバレージエリア内に位置する1つまたは複数の端末デバイス（User Equipment、UE）130をさらに含む。端末デバイス130は、移動式であっても固定式であってもよい。端末デバイス130は、無線アクセスネットワーク（Radio Access Network、RAN）を介して1つまたは複数のコアネットワーク（Core Network）と通信することができる。端末デバイスは、アクセス端末、端末デバイス、加入者ユニット、加入者局、移動局、モバイルコンソール、リモート局、リモート端末、モバイルデバイス、ユーザ端末、端末、ワイヤレス通信デバイス、ユーザエージェント、またはユーザ装置と呼ばれる場合がある。端末デバイスは、携帯電話、コードレス電話、セッション開始プロトコル（Session Initiation Protocol、SIP）電話、ワイヤレスローカルループ（Wireless Local Loop、WLL）局、携帯情報端末（Personal Digital Assistant、PDA）、ワイヤレス通信機能を有するハンドヘルドデバイス、コンピューティングデバイス、ワイヤレスモデムに接続された別の処理デバイス、車載デバイス、ウェアラブルデバイス、将来の5Gネットワークにおける端末デバイスなどであってもよい。
【００８７】
ワイヤレス通信システム100は、協調マルチポイント（Coordinated Multipoint、CoMP）送信をサポートすることができる。言い換えれば、複数のセルまたは複数の送信ポイントは、同じ時間周波数リソースで同じ端末デバイスにデータを送信するように協調するか、または部分的に重複する時間周波数リソースで同じ端末デバイスにデータを送信することができる。複数のセルは、同じネットワークデバイスに属してもよく、異なるネットワークデバイスに属してもよく、チャネル利得または経路損失、受信信号強度、信号受信命令などに基づいて選択されてもよい。
【００８８】
ワイヤレス通信システム100内の端末デバイス130は、マルチポイント送信をサポートすることができる。言い換えれば、端末デバイス130は、第1のネットワークデバイス110と通信することができ、第2のネットワークデバイス120と通信することもできる。第1のネットワークデバイス110はサービングネットワークデバイスとして機能することができ、サービングネットワークデバイスは、ワイヤレスエアインターフェースプロトコルを使用することにより、RRC接続、非アクセス層（Non−access Stratum、NAS）モビリティ管理、およびセキュリティ入力などのサービスを端末デバイスに提供するネットワークデバイスであるか、またはサービングネットワークデバイスは、ワイヤレスエアインターフェースプロトコルを使用することにより、RRC接続、NASモビリティ管理、およびセキュリティ入力などのサービスのうちの少なくとも1つを端末デバイスに提供するネットワークデバイスであってもよい。
【００８９】
場合によっては、第1のネットワークデバイスがサービングネットワークデバイスであってもよいし、第2のネットワークデバイスが協調ネットワークデバイスであってもよく、または、第1のネットワークデバイスが協調ネットワークデバイスであってもよいし、第2のネットワークデバイスがサービングネットワークデバイスであってもよい。サービングネットワークデバイスが端末デバイスに制御シグナリングを送信することができ、協調ネットワークデバイスが端末デバイスにデータを送信することができるか、または、サービングネットワークデバイスが端末デバイスに制御シグナリングを送信することができ、サービングネットワークデバイスおよび協調ネットワークデバイスが同時に端末デバイスにデータを送信することができるか、または、サービングネットワークデバイスおよび協調ネットワークデバイスが同時に端末デバイスに制御シグナリングを送信することができ、サービングネットワークデバイスおよび協調ネットワークデバイスが同時に端末デバイスにデータを送信することができるか、または、協調ネットワークデバイスが端末デバイスに制御シグナリングを送信することができ、サービングネットワークデバイスおよび協調ネットワークデバイスの少なくとも一方が端末デバイスにデータを送信することができるか、または、協調ネットワークデバイスが端末デバイスに制御シグナリングとデータの両方を送信することができる。これは本出願のこの実施形態では特に限定されない。
【００９０】
たとえば、第1のネットワークデバイスがサービングネットワークデバイスであり、第2のネットワークデバイスが協調ネットワークデバイスである。1つまたは複数の第2のネットワークデバイスが存在してもよく、第2のネットワークデバイスおよび第1のネットワークデバイスは、異なる準コロケーション（Quasi−Co−Location、QCL）を満たすネットワークデバイスである。アンテナポートQCLは、QCLのアンテナポートから送信された信号が同じ大規模フェージングに遭遇する可能性があることと定義され、大規模フェージングは、遅延拡散、ドップラー拡散、ドップラー周波数シフト、平均チャネル利得、および平均遅延を含む。
【００９１】
第1のネットワークデバイスと第2のネットワークデバイスの両方は、たとえば、非セル非セルシナリオでは、サービングネットワークデバイスであってもよいことを理解されたい。
【００９２】
本出願のこの実施形態は、非QCLアンテナポートを有する同じネットワークデバイスにも適用可能であることにさらに留意されたい。言い換えれば、ネットワークデバイスは様々なアンテナパネルを用いて構成されてもよく、様々なアンテナパネルに属する同じネットワークデバイス内のアンテナポートは非QCLアンテナポートであってもよく、アンテナポートに対応するCRSリソース構成も異なってもよい。
【００９３】
本出願の実施形態の理解を容易にするために、本出願の実施形態のデータ送信方法が記載される前に、コードワードからレイヤへのマッピング関係およびレイヤからアンテナポートへのマッピング関係が最初に簡単に記載される。
【００９４】
ユーザプレーンデータおよびシグナリングメッセージは、物理レイヤに到達し、エアインターフェースによって送信される前に、PDCP／RLC／MACレイヤによって処理される必要がある。物理レイヤにおいて処理されるデータは、MACレイヤにおけるプロトコルデータユニット（Protocol Data Unit、PDU）、すなわちデータストリームである。上位レイヤからのデータストリームは、チャネル符号化された後にコードワードになる。異なるデータストリームは、異なるコードワードによって区別される。コードワードの数は送信アンテナの数と一致しないので、コードワードは様々な送信アンテナにマッピングされてもよい。したがって、レイヤマッピングおよびプリコーディングが実行される必要がある。レイヤマッピングは、特定の規則に従ってコードワードが複数のレイヤに再マッピングされることと理解されてもよい。プリコーディングは、複数のレイヤにマッピングされたデータが様々なアンテナポートにマッピングされることと理解されてもよい（区別および説明を容易にするために、コードワードがマッピングされるアンテナポートはデータアンテナポートとして記録される）。
【００９５】
ネットワークデバイスは、データを符号化してコードワードを取得し、コードワードをレイヤに、次いでデータアンテナポートにマッピングし、対応するデータアンテナポートを介してコードワードを端末デバイスに送信し、対応するデータアンテナポートを介して復調基準信号を送信し、その結果、端末デバイスは、復調基準信号（Demodulation Reference Signal、DMRS）に基づいて受信データに対して復調処理を実行して元のデータを取得する。
【００９６】
アンテナポートは、受信端デバイスによって識別され得る送信アンテナ、または空間内で区別され得る送信アンテナとして理解されてもよいことに留意されたい。アンテナポートは、アンテナポートに関連付けられた基準信号（またはパイロット信号、たとえば、DMRSまたはCRS）に基づいて定義されてもよい。1つのアンテナポートは、送信端デバイス内の1つの物理アンテナであってもよく、送信端デバイス内の複数の物理アンテナの重み付けされた組合せであってもよい。本出願の実施形態では、特に明記されない限り、1つのアンテナポートは1つの基準信号に対応する。
【００９７】
従来技術では、端末デバイスにデータを送信するときに、サービングネットワークデバイスおよび協調ネットワークデバイスは、別々に端末デバイスにCRSおよびDMRSを送信することができる。CRSはチャネル推定に使用されてもよく、DMRSはデータ復調に使用されてもよい。当業者は、ネットワークデバイスが端末デバイスにDMRSを送信するアンテナポート（すなわち、データアンテナポート）が、ネットワークデバイスが端末デバイスにCRSを送信するアンテナポートに対応することを理解されよう、なぜなら、アンテナポートは、受信端デバイスによって識別される送信アンテナ、または空間内で区別され得る送信アンテナとして理解され得るからである。アンテナポートは、関連する基準信号に基づいて定義されてもよい。実際には、ネットワークデバイスは、同じ物理アンテナまたは複数の物理アンテナを使用して端末デバイスにCRSおよびDMRSを送信することができる。したがって、ネットワークデバイスが端末デバイスにDMRSを送信するアンテナポートは、ネットワークデバイスが端末デバイスにCRSを送信するアンテナポートに対応する。
【００９８】
DMRSが送信されるアンテナポートは、通常、データを送信するために使用され、したがって、データが送信されるアンテナポートは、CRSが送信されるアンテナポートとは異なるが、それに対応することに留意されたい。
【００９９】
本出願の実施形態の理解を容易にするために、以下で、図2を参照して具体的なCoMP送信シナリオを詳細に記載する。図2は、本出願の一実施形態に適用可能なCoMP送信シナリオの概略図である。
【０１００】
具体的には、図2の（a）は、マルチポイントおよびマルチストリームのシナリオを示す。図に示されたように、（たとえば、CW1として記録された）1つのコードワードは、レイヤマッピングを介して（たとえば、レイヤ1として記録された）1つのレイヤにマッピングされてもよく、次いで、（たとえば、ポート1として記録された）データアンテナポートにマッピングされる。データアンテナポートは、（たとえば、TP1として記録された、すなわち、ネットワークデバイスの一例である）TPまたはTRPに属する。言い換えれば、CW1に対応するデータは、ポート1を介してTP1によって端末デバイスに送信される。同様に、（たとえば、CW2として記録された）別のコードワードは、レイヤマッピングを介して（たとえば、レイヤ2として記録された）レイヤにマッピングされてもよく、次いで、（たとえば、ポート2として記録された）データアンテナポートにマッピングされる。データアンテナポートは、（たとえば、TP2として記録された、すなわち、ネットワークデバイスの別の例である）別のTPに属する。言い換えれば、CW2に対応するデータは、ポート2を介してTP2によって端末デバイスに送信される。言い換えれば、異なるTPは異なるコードワードを送信する。この場合、コードワードはレイヤに対応し、レイヤはデータアンテナポートに対応し、データアンテナポートはTPに対応する。
【０１０１】
図2の（b）は、別のマルチポイントおよびマルチストリームのシナリオを示す。図に示されたように、1つのコードワード（たとえば、CW1）は、レイヤマッピングを介して2つのレイヤ（たとえば、レイヤ1およびレイヤ2）にマッピングされてもよく、次いで、異なるデータアンテナポート（たとえば、ポート1およびポート2）にマッピングされる。ポート1およびポート2は、異なるTP（たとえば、TP1およびTP2）に属する。言い換えれば、CW1に対応するデータは、ポート1およびポート2を介してTP1およびTP2によって端末デバイスに送信される。言い換えれば、異なるTPは同じコードワードの異なるレイヤを送信する。この場合、レイヤはデータアンテナポートに対応し、データアンテナポートはTPに対応する。
【０１０２】
図2の（c）は、単一周波数ネットワーク（Single Frequency Network、SFN）のシナリオを示す。図に示されたように、1つのコードワード（たとえば、CW1）は、レイヤマッピングを介して2つのレイヤ（たとえば、レイヤ1およびレイヤ2）にマッピングされてもよく、次いで、異なるデータアンテナポート（たとえば、ポート1およびポート2）にマッピングされる。各アンテナポートにマッピングされたデータは、異なるTP（たとえば、TP1およびTP2）を使用して端末デバイスに送信されてもよい。言い換えれば、異なるTPは同じコードワードの同じレイヤを一緒に送信する。この場合、レイヤはデータアンテナポートに対応する。
【０１０３】
図2の（c）に示されたシナリオは、コヒーレントジョイント送信（Joint Transmission、JT）のシナリオにも対応してもよいことを理解されたい。すなわち、複数のTPの複数のアンテナが一緒にプリコーディングを実行して端末デバイスにデータを送信する。
【０１０４】
図2の（d）は、マルチポイントブロックコーディング（Multiple Point Block Code、MPBC）のシナリオを示す。図に示されたように、1つのコードワード（たとえば、CW1）は、レイヤマッピングを介して1つのレイヤ（たとえば、レイヤ1）にマッピングされてもよく、次いで、異なる符号化方式で異なるデータアンテナポート（たとえば、ポート1およびポート2）にマッピングされてもよい。異なるデータアンテナポートは異なるTP（たとえば、TP1およびTP2）に属し、データは異なるTPを使用して端末デバイスに送信される。言い換えれば、異なるTPは、同じコードワードの同じレイヤの同じデータの異なるコード化情報を送信する。この場合、データアンテナポートはTPに対応する。
【０１０５】
図2の（d）に示されたシナリオは、空間周波数ブロックコーディング（Space Frequency Block Code、SFBC）のシナリオにも対応してもよいことを理解されたい。言い換えれば、複数のTPがプリコーディングを別々に実行し、次いで、SFBCを一緒に実行して端末デバイスにデータを送信することができる。
【０１０６】
上記に示されたシナリオから、データを受信するとき、同じ端末デバイスが、1つまたは複数のデータアンテナポートを介して1つまたは複数のTPによって送信されたデータを受信できることが分かる。複数のTPまたは複数のデータアンテナポートが存在するとき、端末デバイスがサービングTPによって使用されるCRSによって占有されたリソースしか知らない場合、端末デバイスのデータ受信性能が低下する可能性がある。
【０１０７】
本出願の実施形態の理解を容易にするために、以下で、図3Aおよび図3Bを参照して、異なる数のアンテナポート（具体的には、CRSアンテナポート）の下でのCRSのリソース要素（Resource Element、RE）のマッピング位置図（またはパイロットパターンと呼ばれる）を簡単に記載する。
【０１０８】
図3Aおよび図3Bは、従来のサイクリックプレフィックス（Cyclic Prefix、CP）のケースにおける、異なる数のアンテナポート（アンテナポートの数はそれぞれ1、2、および4である）の下でのCRSのREのマッピング位置図を示す。図3Aおよび図3Bに示されたパイロットパターンは、理解を容易にするための一例にすぎず、本出願の実施形態に対するいかなる制限も構成するものではないことを理解されたい。たとえば、CRSパイロットパターンは、拡張CPのケースの異なる数のアンテナポートの下でのCRSのREのマッピング位置図をさらに含み、将来のプロトコルでは、より多くの数のアンテナポートの下でのCRSのREのマッピング位置図さえ含む。
【０１０９】
図3Aおよび図3Bに示されたように、図中の
【０１１０】
【表１】
2019536353.tif 000003
【０１１１】
はCRSのREのマッピング位置を表し、R0、R1、R2、およびR3は、それぞれ異なるアンテナポートのCRSのREのマッピング位置を表す。異なるアンテナポートのCRSによって占有されたリソースが1対のリソースブロック（Resource Block、RB）にマッピングされるREの位置は異なることが分かる。言い換えれば、異なるアンテナポートのCRSによって占有される時間周波数リソースは異なる。1つまたは複数のデータアンテナポートを介してデータを送信するとき、ネットワークデバイスは、ネットワークデバイスのデータ送信にあり、別の協調ネットワークデバイスによって送信されたCRSによって占有されたリソースによって引き起こされる干渉を考慮する必要があり、さもなければ、端末デバイスの復号エラーが引き起こされる可能性がある。したがって、1つまたは複数のデータアンテナポートを介してデータを送信するとき、ネットワークデバイスは、ネットワークデバイスによって送信されたCRSによって占有されたリソースを避ける必要があり、CRSの複数のグループがマッピングされたREに対応する時間周波数リソース上でデータを送信しない。言い換えれば、CRSリソースの複数のグループに対してデータマッピングが実行されないか、またはマッピング後にパンクチャリングが実行される。
【０１１２】
図3Aおよび図3Bは、CRSアンテナポートの数がそれぞれ1、2、および4であるときのCRSのREのマッピング位置を示す。アンテナポートの数が1であるとき（たとえば、アンテナポート＃0）、CRSのただ1つのグループのREのマッピング位置が考慮される必要があることが分かる。アンテナポートの数が2であるとき（たとえば、アンテナポート＃0およびアンテナポート＃1）、アンテナポート＃0のCRSのREのマッピング位置が考慮される必要があるだけでなく、アンテナポート＃1のCRSのREのマッピング位置も考慮される必要がある。言い換えれば、データは図に示された
【０１１３】
【表２】
2019536353.tif 000004
【０１１４】
に対応する時間周波数リソース上で送信されない。アンテナポートの数が4であるとき（たとえば、アンテナポート＃0、アンテナポート＃1、アンテナポート＃2、およびアンテナポート＃3）、アンテナポート＃0のCRSのREのマッピング位置が考慮される必要があるだけでなく、アンテナポート＃1、アンテナポート＃2、およびアンテナポート＃3のCRSのREのマッピング位置も考慮される必要がある。
【０１１５】
CRSを送信するために使用されるアンテナポートの数は、通常、0、1、2、および3のうちの1つまたは複数であるが、これは本出願に対するいかなる制限も構成するものではないことに留意されたい本出願では、将来のプロトコルにおいて、CRSを送信するために使用されるアンテナポートの数が増減したり、定義されるアンテナポート番号が増減したりすることは排除されない。
【０１１６】
次いで、図2に示されたシナリオを参照すると、端末デバイスは、各データアンテナポートを介してデータを送信するために各TPによって使用されるCRSリソースを知る必要がある。したがって、本出願は、ネットワークデバイスがCRSの少なくとも2つのグループのリソース構成状態を端末デバイスに示し、その結果、端末デバイスがデータを正しく受信し、データ受信性能を向上させることができる、データ送信方法を提供する。
【０１１７】
以下で、図4を参照して、本出願の実施形態のデータ送信方法を詳細に記載する。
【０１１８】
図4は、本出願の一実施形態によるデータ送信方法の概略フローチャートであり、方法の具体的な通信のステップまたは動作を示すことを理解されたい。しかしながら、これらのステップまたは動作は例にすぎず、本出願のこの実施形態では、図4の別の動作または様々な動作の変形がさらに実行されてもよい。加えて、図4のステップは、図4に示された順序とは異なる順序で実行されてもよく、図4のすべての動作が実行される必要はない。
【０１１９】
図4は、デバイス対話の観点からの本出願の実施形態によるデータ送信方法200の概略フローチャートである。方法200は、ワイヤレスエアインターフェースが通信に使用される通信システムに適用されてもよく、通信システムは、少なくとも1つのネットワークデバイスおよび少なくとも1つの端末デバイスを含んでもよい。たとえば、通信システムは、図1に示されたワイヤレス通信システム200であってもよい。
【０１２０】
場合によっては、ネットワークデバイスは、送信ポイント（TP）または基地局であってもよく、ダウンリンク制御情報（Downlink Control Information、DCI）を送信するために使用される別のネットワークデバイスであってもよい。これは本出願のこの実施形態では特に限定されない。
【０１２１】
一般性を失うことなく、（区別および説明を容易にするために、第1のネットワークデバイスとして記録された）第1のネットワークデバイスと端末デバイスとの間の対話は、以下の方法200を詳細に記載するために一例として使用される。第1のネットワークデバイスは、上記の少なくとも1つのネットワークデバイスのうちのいずれか1つであってもよいことを理解されたい。たとえば、第1のネットワークデバイスは、端末デバイスのサービングネットワークデバイスであってもよく、端末デバイスの協調ネットワークデバイスであってもよい。あるいは、第1のネットワークデバイスは、上記の少なくとも1つのネットワークデバイスのうちのいずれでなくてもよい。これは本出願のこの実施形態では特に限定されない。「第1の」は区別および説明のために使用されるにすぎず、本出願のこの実装形態に対するいかなる制限も構成するものではない。端末デバイスは、第1のネットワークデバイスと通信し接続することができ、さらに1つまたは複数の他のネットワークデバイス（たとえば、第2のネットワークデバイス）とデータ通信を実行できることをさらに理解されたい。これは本出願のこの実施形態では特に限定されない。
【０１２２】
図4に示されたように、方法200は以下のステップを含む。
【０１２３】
S210．第1のネットワークデバイスが端末デバイスに指示情報を送信する。
【０１２４】
端末デバイスにデータを送信するとき、ネットワークデバイスは、最初にCRSを送信してチャネル推定を実行する必要がある。データを送信するためにネットワークデバイスによって使用されるデータアンテナポートは、CRSを送信するために使用されるリソースに対応する。言い換えれば、データがCRSを送信するために使用されるリソースにマッピングされないか、またはデータがリソースにマッピングされた後にリソースがパンクチャリングされる。
【０１２５】
本出願のこの実施形態では、上記の少なくとも1つのネットワークデバイスが少なくとも1つのデータアンテナポートに1つのコードワードをマッピングした後にデータが取得されると仮定する。具体的には、少なくとも1つのネットワークデバイスが端末デバイスにデータを送信することは、図2に示されたシナリオ（具体的には、図2の（b）〜（d））に対応してもよい。本出願のこの実施形態では、コードワードは上述された例示的なCW1に対応してもよく、第1のネットワークデバイスは上述された例示的なTP1に対応してもよく、第2のネットワークデバイスは上述された例示的なTP2に対応してもよい。
【０１２６】
図2に示されたシナリオは、理解を容易にするために示されたにすぎず、本出願に対するいかなる制限も構成するものではなく、本出願はそれらに限定されないことを理解されたい。たとえば、第1のネットワークデバイスは、代替として、図2に示されたTP1およびTP2以外のネットワークデバイスであってもよい。言い換えれば、端末デバイスにデータを送信する少なくとも1つのネットワークデバイスは、第1のネットワークデバイスを含んでもよく、第1のネットワークデバイスを含まなくてもよい。
【０１２７】
CRSのN個のグループを送信するために少なくとも1つのネットワークデバイスによって使用される時間周波数リソースは、データを送信するために少なくとも1つのネットワークデバイスによって使用される時間周波数リソースとは異なる。言い換えれば、CRSがマッピングされるREとデータがマッピングされるREは、各RB内で重複しない。
【０１２８】
したがって、第1のネットワークデバイスは、CRSのN個のグループ向けに各ネットワークデバイスによって構成されたリソースに基づいて端末デバイスに指示情報を送信することができ、指示情報は、CRSのN個のグループによって占有されたリソースを特定するために端末デバイスによって使用される。可能な実装形態では、第1のネットワークデバイスは、端末デバイスに送信されるべき指示情報をDCIに追加することができ、その結果、DCIを受信すると、端末デバイスは、DCI内で搬送された指示情報に基づいてCRSのN個のグループのリソースを特定し、さらに対応するリソースでのデータの受信を禁止することができる。
【０１２９】
場合によっては、S210は具体的に以下を含んでもよい。
【０１３０】
第1のネットワークデバイスが端末デバイスにDCIを送信し、DCIは指示情報を搬送する。
【０１３１】
本明細書に記載されたDCI内で指示情報が搬送される方法は可能な実装形態にすぎず、本出願のこの実施形態に対するいかなる制限も構成するものではないことを理解されたい。指示情報は、代替として、別のメッセージまたはシグナリングで搬送されてもよく、これは、本出願のこの実施形態では特に限定されない。
【０１３２】
場合によっては、S210の前に、方法200はさらに以下を含む。
【０１３３】
S220．第1のネットワークデバイスが、CRSのN個のグループのリソースの構成情報を特定する。
【０１３４】
言い換えれば、端末デバイスに指示情報を送信する前に、第1のネットワークデバイスは、指示情報を生成するために、各ネットワークデバイスからCRSのN個のグループのリソースの構成情報を取得する必要がある。
【０１３５】
可能な実装形態では、データを送信するとき、少なくとも1つのネットワークデバイスの各々はCRS構成情報を特定することができる。加えて、各ネットワークデバイスは、ネットワークデバイス間のインターフェース（たとえば、X2インターフェース）を介して、各ネットワークデバイスによって特定されたCRS構成情報を第1のネットワークデバイスに送信することができる。
【０１３６】
異なるデータアンテナポートを使用してデータが送信されるとき、それに対応して、CRSを送信するためのリソースの位置も異なってもよいことを理解されたい。したがって、各ネットワークデバイスは、M個のデータアンテナポートのためにCRSの対応するP個のグループの構成情報を特定することができる。Mは、ネットワークデバイスがデータを送信するデータアンテナポートの数を表し、PはN以下であり、MおよびPは自然数であり、MおよびPの値はネットワークデバイスによって異なる。言い換えれば、データに対応するCRSのN個のグループにおいて、各データアンテナポートに対応するCRS（すなわち、上記のCRSのP個のグループ）は、CRSのN個のグループの一部またはすべてである。
【０１３７】
限定ではなく例として、構成情報は、CRSアンテナポートの数および周波数オフセットに関する情報を含んでもよい。CRSの周波数オフセット情報は、（たとえば、図3Aおよび図3Bに示されたように）プリセットパイロットパターンに対する、周波数領域リソース内でCRSがマッピングされるREのオフセットとして理解されてもよい。
【０１３８】
本明細書におけるCRSの1つのグループは、CRSアンテナポートの数および周波数オフセットに基づいて特定された、周波数領域リソース内でCRSがマッピングされるREの位置が同じCRSのセットを表す。言い換えれば、CRSの任意の2つのグループは、アンテナポートの数および周波数オフセットのうちの少なくとも1つにおいて互いに異なる。
【０１３９】
本明細書では、CRSによって占有されるリソースには、空間領域リソース、時間領域リソース、および周波数領域リソースが含まれてもよいことに留意されたい。本出願のこの実施形態では、時間領域リソースのオフセットは、プリセットパイロットパターンに対してゼロであると仮定してもよい。言い換えれば、時間領域リソースはプリセットパイロットパターンに関して不変のままである。周波数領域における周波数オフセットは、セル識別子に基づいて計算される。具体的には、
【０１４０】
【数１】
2019536353.tif 000005
【０１４１】
であり、ここで、νshiftは周波数オフセットを表し、
【０１４２】
【数２】
2019536353.tif 000006
【０１４３】
はセル識別子を表し、modはREM演算を表す。周波数オフセットを導入することにより、隣接セルからの干渉が低減され得る。加えて、空間領域リソースは、異なるアンテナポートが空間領域内の異なるリソースに対応してもよいことと理解されてもよい。
【０１４４】
本出願のこの実施形態は、主に異なるネットワークデバイスのCRSによって使用される周波数領域リソースを詳細に記載しているが、これは本出願のこの実施形態に対するいかなる制限も構成するものではないことを理解されたい。たとえば、異なるネットワークデバイスのCRSによって使用される時間領域リソースも異なってもよく、本出願のこの実施形態における方法も、パイロットパターンに対するCRSの時間領域におけるオフセット（すなわち、時間オフセット）を示すために使用されてもよい。
【０１４５】
本出願のこの実施形態では、図3Aおよび図3Bに示されたパイロットパターンがプリセットパイロットパターンとして使用されることが説明のための例として使用されているにすぎず、本出願のこの実施形態に対するいかなる制限も構成するものではないことをさらに理解されたい。本出願のこの実施形態では、異なる数のアンテナポートの下に構成されたCRSリソースが将来のプロトコルで削除または修正される可能性、およびより多いまたはより少ないCRSアンテナポートの下に構成されたCRSリソースが定義される可能性は排除されない。
【０１４６】
S230．少なくとも1つのネットワークデバイスが、データおよびCRSのN個のグループによって占有されたリソースの指示情報を送信する。
【０１４７】
本出願のこの実施形態では、少なくとも1つのネットワークデバイスには第1のネットワークデバイスおよび第2のネットワークデバイスが含まれてもよいと仮定する。データを送信するために使用されるアンテナポートおよびCRSを送信するために使用されるリソースを特定した後、ネットワークデバイスは、データおよびCRSのN個のグループを端末デバイスに送信することができる。
【０１４８】
指示情報は、以下の項目：データに対応するコードワード、コードワードがマッピングされるレイヤ、またはコードワードがマッピングされるデータアンテナポートのうちの少なくとも1つに対応する。各コードワード、各レイヤ、または各データアンテナポートに対応するCRSによって占有されるリソースは、上記のCRSのN個のグループによって占有されるリソースの一部またはすべてである。データは、少なくとも1つのネットワークデバイスがデータアンテナポートの数に1つのコードワードをマッピングした後に取得される。
【０１４９】
ネットワークデバイスがデータおよびCRSを送信する具体的なプロセスは、従来技術のプロセスと同様であることを理解されたい。簡潔にするために、本明細書では具体的なプロセスの詳細は記載されない。
【０１５０】
第1のネットワークデバイスおよび第2のネットワークデバイスが図4に示されたデータを端末デバイスにデータを送信するステップは、説明のための一例にすぎないことをさらに理解されたい。端末デバイスにデータを送信する少なくとも1つのネットワークデバイスは、第1のネットワークデバイスのみであっても第2のネットワークデバイスのみであってもよく、または1つもしくは複数の他のネットワークデバイスであってもよい。端末デバイスにデータを送信する少なくとも1つのネットワークデバイスは、本出願では特に限定されない。
【０１５１】
本明細書では、端末デバイスにデータを送信する前に、少なくとも1つのネットワークデバイスの各々が、CRSを送信するためにすべてのネットワークデバイスによって占有されたリソース（すなわち、上述されたCRSのN個のグループのリソース）を知ることができることに留意されたい。したがって、データマッピングプロセスでは、CRSを送信するためにすべてのネットワークデバイスによって占有されたリソースがバイパスされてもよい。言い換えれば、CRSのN個のグループがマッピングされたREに対してデータマッピングが実行されないか、またはデータマッピングの後にパンクチャリングが実行される。
【０１５２】
S240．端末デバイスが、指示情報に基づいて、CRSのN個のグループによって占有されたリソースを特定し、CRSのN個のグループによって占有されたリソースに基づいてデータを受信する。
【０１５３】
具体的には、指示情報に基づいて、CRSのN個のグループによって占有されたリソースを特定した後、端末デバイスは、データ受信において、CRSのN個のグループがマッピングされたREをバイパスすることを特定し、これらのRE上でのデータ受信を禁止することができる。
【０１５４】
図2に示されたシナリオを参照して、以下で、第1のネットワークデバイスが、DCI内の異なるフィールド指示情報を使用することにより、CRSのN個のグループのリソースを特定するように端末デバイスに指示する具体的な方法を詳細に記載する。
【０１５５】
場合によっては、指示情報は、CRSアンテナポートの数および周波数オフセットを示すために使用される第1の指示情報を含む。
【０１５６】
周波数オフセットは、周波数領域リソース内でCRSがマッピングされるREの位置を特定するために使用されてもよい。
【０１５７】
S210は、具体的に以下を含んでもよい：
第1のネットワークデバイスが、CRSのN個のグループを送信するためのアンテナポートの数および周波数オフセットを特定し、かつ
第1のネットワークデバイスが端末デバイスに第1の指示情報を送信し、第1の指示情報はCRSのN個のグループのアンテナポートの数および周波数オフセットを示すために使用される。
【０１５８】
具体的には、第1のネットワークデバイスが端末デバイスに第1の指示情報を送信することは、以下の4つの方法（すなわち、方法1〜方法4）を含む。
【０１５９】
方法1：
【０１６０】
第1の指示情報は、具体的には、PQIによって搬送されてもよい。言い換えれば、PQIは第1の指示情報を間接的に示すために使用される。
【０１６１】
既存のLTEプロトコルでは、PQIは、通常、PDSCHリソース要素マッピングおよび準コロケーションインジケータ（RE Mapping and Quasi−Co−Location Indicator）であることに留意されたい。本出願のこの実施形態では、PQIは、PDSCH−RE−mapping QCL−Configパラメータセットであってもよく、PDSCH−RE−mapping QCL−Configパラメータセットは上位レイヤのパラメータであってもよく、上位レイヤパラメータはRRCシグナリングで搬送されてもよい。PQIのインデックスは、PDSCH−RE−mapping QCL−Configパラメータセットを示すために使用されてもよい。言い換えれば、本出願のこの実施形態では、PQIのインデックスは、LTEプロトコルにおいて定義されているPQIと同じまたは同様の機能を有することができる。簡潔にするために、同じまたは同様のケースは以下に記載されない。
【０１６２】
可能な設計では、トランスポートブロック（Transport Block、TB）の指示フィールドは既存のDCI内で拡張されてもよい。言い換えれば、既存のプロトコルにおいて定義されているTBの指示フィールドは、ただ1つの第1のPQIのインデックス（または値（Value））を搬送する。本出願のこの実施形態では、TBの指示フィールドが拡張され、N個のPQIのインデックスがTBの指示フィールド内で搬送される。
【０１６３】
場合によっては、第1の指示情報は、N個の第1の物理ダウンリンク制御チャネルリソース要素マッピングおよび準コロケーションインジケータPQIのインデックスを含み、各第1のPQIは、CRSの1つのグループのアンテナポートの数および周波数オフセットに関する情報を含む。
【０１６４】
第1のネットワークデバイスが端末デバイスに第1の指示情報を送信することは、
第1のネットワークデバイスにより、端末デバイスにN個の第1のPQIのインデックスを送信することを含む。
【０１６５】
具体的には、N個の第1のPQIのインデックスは、CRSのN個のグループに1対1に対応する。i番目の第1のPQIは、CRSのi番目のグループによって占有されたリソースを特定するために使用され、i∈［1，N］であり、iは自然数である。
【０１６６】
それに対応して、端末デバイスがネットワークデバイスによって送信された第1の指示情報を受信することは、
端末デバイスにより、ネットワークデバイスによって送信されたN個の第1のPQIのインデックスを受信することを含み、
端末デバイスが、指示情報に基づいて、CRSのN個のグループによって占有されたリソースを特定することは、
端末デバイスにより、第1のマッピング関係およびN個の第1のPQIのインデックスに基づいて、CRSのN個のグループによって占有されたリソースを特定することであって、第1のマッピング関係が、複数の第1のPQIのインデックスと複数の上位レイヤパラメータグループとの間のマッピング関係を示すために使用される、特定することを含む。
【０１６７】
本明細書では、第1のPQIは、以下に記載される第2のPQIとの区別のために使用されるにすぎず、本出願に対するいかなる制限も構成するものではないことに留意されたい。本出願のこの実施形態では、第1のPQIは、従来技術におけるPQIと同じであってもよい（第1のPQIに含まれる具体的な内容は、以下で具体的に記載され得る）。
【０１６８】
本出願のこの実施形態では、たとえば、CRSのアンテナポートの数は、それぞれ1、2、および4である。各ネットワークデバイスは、アンテナポート0、アンテナポート1、アンテナポート2、およびアンテナポート3のうちの1つ、2つ、または4つのアンテナポートを使用してCRSを送信し、対応する周波数オフセットのそれぞれ6つ、3つ、および3つの選択があり得ると仮定する。したがって、合計
【０１６９】
【数３】
2019536353.tif 000007
【０１７０】
個のPDSCH−RE−mapping QCL−Configパラメータセットが構成されてもよい。
【０１７１】
PDSCH送信では、ネットワークデバイスは、RRCシグナリングを使用して上記の複数のPDSCH−RE−mapping QCL−Configパラメータセット（または上位レイヤパラメータと呼ばれる）を構成することができる。あるいは、ネットワークデバイスおよび端末デバイスは、上記の複数のPDSCH−RE−mapping QCL−Configパラメータセット（または上位レイヤパラメータと呼ばれる）を事前交渉し記憶することができる。PDCCH送信では、DCIはPDSCH上で送信される。DCI内のN個の第1のPQIのインデックスは、データ送信のために端末デバイスによって現在使用されている具体的なPDSCH−RE−mapping QCL−Configパラメータセットを示すために使用され、その結果、端末デバイスはPDSCH−RE−mapping QCL−Configパラメータセットに基づいてレートマッチングを実行する。
【０１７２】
具体的には、DCIは、情報ビット（すなわち、第1のPQIのインデックス）を使用して設定された対応するPDSCH−RE−mapping QCL−Configパラメータセットを示すことができる。Table 1は、複数の情報ビットと複数のPDSCH−RE−mapping QCL−Configパラメータセットとの間のマッピング関係（すなわち、第1のマッピング関係）を示す。
【０１７３】
【表３】
2019536353.tif 000008
【０１７４】
上位レイヤパラメータは、上位レイヤを使用して構成され、RRCシグナリングを使用して配信されるパラメータとして理解されてもよい。上位レイヤパラメータは以下の内容を含んでもよい：
1．（CRSアンテナポートの数および周波数オフセットを含む）CRS構成、
2．PDSCH開始点、
3．マルチメディアブロードキャストマルチキャストサービス単一周波数ネットワーク（Multimedia Broadcast Multicast Service Single Frequency Network、MBSFN）サブフレーム構成、
4．ゼロパワーCSI−RS構成、
5．ビーム管理用RS（RS for beam management）構成、
6．データを送信するために使用されるアンテナポートのポート番号、
7．スクランブリングアイデンティティ（scrambling identity）、ならびに
8．コードワードとレイヤとの間のマッピング関係。
【０１７５】
CRS構成は、PDSCH RE mappingによって必要とされるパイロット情報を特定するために使用されてもよい。したがって、本出願のこの実施形態では、1つの第1のPQIのインデックスがCRSの各グループのアンテナポート向けに送信され、その結果、端末デバイスは、各第1のPQIのインデックスに基づいて、CRSによって占有されたリソースを特定する。
【０１７６】
上記に列挙された上位レイヤパラメータに含まれる具体的な内容は、説明のための例にすぎず、本出願のこの実施形態に対するいかなる制限も構成するものではないことを理解されたい。上位レイヤパラメータの具体的な内容が将来の規格において削除、修正、または拡張される可能性は、本出願のこの実施形態では排除されない。
【０１７７】
加えて、CRSのN個のグループ内のCRSのi番目のグループは、（たとえば、第1のネットワークデバイスセットとして記録された）少なくとも1つのネットワークデバイスによって送信されてもよいことにさらに留意されたい。第1のネットワークデバイスセットおよびデータを送信する（またはCRSのN個のグループを送信する）（たとえば、第2のネットワークデバイスセットとして記録された）少なくとも1つのネットワークデバイスは、同じネットワークデバイスセットであってもよく、異なるネットワークデバイスセットであってもよい。第1のネットワークデバイスセットと第2のネットワークデバイスセットが異なるネットワークデバイスセットであるとき、第1のネットワークデバイスセットは第2のネットワークデバイスセットを含む。言い換えれば、第2のネットワークデバイスセットは第1のネットワークデバイスセットのサブセットである。簡潔にするために、同じまたは同様のケースは以下に記載されない。
【０１７８】
本明細書では、同じコードワードがマッピングされる2つのデータアンテナポートが同じネットワークデバイス（たとえば、第2のネットワークデバイス）からであるとき、第2のネットワークデバイスによって送信されるすべてのCRSは、同じ数のアンテナポートおよび同じ周波数オフセットを有することにさらに留意されたい。言い換えれば、第1のネットワークデバイスは、第2のネットワークデバイスに向けにただ1つの第1のPQIのインデックスを送信することができる。言い換えれば、CRSのN個のグループは、データアンテナポートの数と一致せず、データアンテナポートの数以下であってもよい。
【０１７９】
周波数オフセット
【０１８０】
【数４】
2019536353.tif 000009
【０１８１】
に起因して、異なるセル識別子に対してモジュロ演算が実行された後に取得される周波数オフセット値が同じであるケースは排除されないことにさらに留意されたい。CRSを送信するために2つのネットワークデバイスによって使用されるアンテナポートの数が同じであり、CRSの周波数オフセットが同じである場合、このケースでは、2つのネットワークデバイスはCRSの1つのグループに対応する。言い換えれば、CRSによって占有されたリソースを特定するために同じ第1のPQIしか必要とされない。理解および説明を容易にするために、特に明記されない限り、セル識別子は異なるが周波数オフセットが同じであるケースは、以下では考慮されない。しかしながら、これは本出願に対するいかなる制限も構成するものではないことを理解されたい。
【０１８２】
図2の（b）〜（d）に示されたシナリオを参照して、以下では、N個の第1のPQIのインデックスが指示に使用される方法を詳細に記載する。具体的には、N＝2である。
【０１８３】
図2の（a）に示されたシナリオでは、CRSリソース指示方法は従来技術の方法と同様であることを理解されたい。簡潔にするために、本明細書では具体的なプロセスの詳細は記載されない。
【０１８４】
次いで、図2の（b）を参照すると、図2の（b）は、2つの異なるネットワークデバイスを使用して、同じデータの（2つのデータアンテナポートに対応する）2つのレイヤが送信されるケースを示す。言い換えれば、レイヤ1はアンテナポート1に対応し、アンテナポート1はTP1に対応し、レイヤ2はアンテナポート2に対応し、アンテナポート2はTP2に対応する。この場合、第1のネットワークデバイスは、端末デバイスに2つの第1のPQIのインデックスを送信する。具体的には、第1の第1のPQIはTP1に対応し、第2の第1のPQIはTP2に対応するか、または第2の第1のPQIはTP1に対応し、第1の第1のPQIはTP2に対応するか、または第1の第1のPQIはアンテナポート1に対応し、第2の第1のPQIはアンテナポート2に対応するか、または第1の第1のPQIはアンテナポート2に対応し、第2の第1のPQIはアンテナポート1に対応するか、または第1の第1のPQIはレイヤ1に対応し、第2の第1のPQIはレイヤ2に対応するか、または第1の第1のPQIはレイヤ2に対応し、第2の第1のPQIはレイヤ1に対応する。
【０１８５】
次いで、図2の（c）を参照すると、図2の（c）は、同じのデータの（2つのデータアンテナポートに対応する）2つのレイヤの各々が2つの異なるネットワークデバイスを使用して送信されるケースを示す。言い換えれば、レイヤ1はアンテナポート1に対応し、アンテナポート1はTP1およびTP2に対応し、レイヤ2はアンテナポート2に対応し、アンテナポート2はTP1およびTP2に対応する。この場合、第1のネットワークデバイスは、端末デバイスに2つの第1のPQIのインデックスを送信する。具体的には、第1の第1のPQIはTP1に対応し、第2の第1のPQIはTP2に対応するか、または第2の第1のPQIはTP1に対応し、第1の第1のPQIはTP2に対応するか、または第1の第1のPQIおよび第2の第1のPQIはアンテナポート1に対応し、第1の第1のPQIおよび第2の第1のPQIはアンテナポート2に対応するか、または第1の第1のPQIおよび第2の第1のPQIはレイヤ1に対応し、第1の第1のPQIおよび第2の第1のPQIはレイヤ2に対応する。
【０１８６】
別の例では、レイヤ1はアンテナポート1に対応し、アンテナポート1はTP1およびTP2に対応し、レイヤ2はアンテナポート2に対応し、アンテナポート2はTP3およびTP4に対応する。この場合、第1のネットワークデバイスは、端末デバイスに4つの第1のPQIのインデックスを送信し、4つの第1のPQIはそれぞれTP1、TP2、TP3、およびTP4に対応するか、または第1の第1のPQIおよび第2の第1のPQIはアンテナポート1に対応し、第3の第1のPQIおよび第4の第1のPQIはアンテナポート2に対応するか、または第1の第1のPQIおよび第2の第1のPQIはレイヤ1に対応し、第3の第1のPQIおよび第4の第1のPQIはレイヤ2に対応する。
【０１８７】
次いで、図2の（d）を参照すると、図2の（d）は、同じデータの同じレイヤが異なる符号化方式で2つの異なるネットワークデバイスによって符号化され、異なるアンテナポートを使用して送信されるケースを示す。言い換えれば、レイヤ1はアンテナポート1およびアンテナポート2に対応し、アンテナポート1はTP1に対応し、アンテナポート2はTP2に対応する。この場合、第1のネットワークデバイスは、端末デバイスに2つの第1のPQIのインデックスを送信する。第1の第1のPQIはTP1に対応し、第2の第1のPQIはTP2に対応するか、または第1の第1のPQIおよび第2の第1のPQIはアンテナポート1に対応し、第1の第1のPQIおよび第2の第1のPQIはアンテナポート2に対応するか、または第1の第1のPQIおよび第2の第1のPQIはレイヤ1に対応する。
【０１８８】
別の可能な設計では、TBの指示フィールドは既存のDCI内で拡張されてもよい。言い換えれば、既存のプロトコルにおいて定義されているTBの指示フィールドは、（本出願のこの実施形態では第1のPQIに対応してもよい）1つのPQIのインデックスを搬送し、PQIは上位レイヤパラメータの1つのグループを示す。本出願のこの実施形態ではPQIが拡張され、その結果、（本出願のこの実施形態では第2のPQIに対応してもよい）PQIを使用することにより、上位レイヤパラメータの複数のグループが示される。
【０１８９】
場合によっては、第1の指示情報はS個の第2のPQIのインデックスを含み、各第2のPQIは、CRSの少なくとも1つのグループのアンテナポートの数および周波数オフセットに関する情報を含み、S∈［1，N）であり、Sは自然数である。
【０１９０】
第1のネットワークデバイスが端末デバイスに第1の指示情報を送信することは、
第1のネットワークデバイスにより、端末デバイスにS個の第2のPQIのインデックスを送信することを含む。
【０１９１】
それに対応して、端末デバイスが、ネットワークデバイスによって送信された第1の指示情報を受信することは、
端末デバイスにより、ネットワークデバイスによって送信されたS個の第2のPQIのインデックスを受信することを含み、
端末デバイスが、指示情報に基づいて、CRSのN個のグループによって占有されたリソースを特定することは、
端末デバイスにより、第2のマッピング関係およびS個の第2のPQIのインデックスに基づいて、CRSのN個のグループによって占有されたリソースを特定することであって、第2のマッピング関係が、複数の第2のPQIと複数の上位レイヤパラメータグループセットとの間のマッピング関係を示すために使用される、特定することを含む。
【０１９２】
言い換えれば、1つの第2のPQIを使用してCRSアンテナポートの数および周波数オフセットに関するN個の情報が示されてもよく、この場合、第2のPQIは、CRSアンテナポートの数のN個のインデックスおよびCRS周波数オフセットのN個のインデックス、またはCRSアンテナポートの数および周波数オフセットのN個のインデックスを含んでもよい。あるいは、複数の第2のPQIを使用してCRSアンテナポートの数および周波数オフセットに関するN個の情報が示されてもよく、この場合、各第2のPQIは、CRSアンテナポートの数の少なくとも1つのインデックスおよびCRS周波数オフセットの少なくとも1つのインデックス、またはCRSアンテナポートの数および周波数オフセットの少なくとも1つのインデックスを含んでもよい。少なくとも1つのCRS構成情報（すなわち、CRSアンテナポートの数および周波数オフセット）に対応するCRSの少なくとも1つのグループは、CRSのN個のグループのサブセットである。
【０１９３】
CRSのN個のグループのアンテナポートの数および周波数オフセットに関する情報を示すためにS個の第2のPQIが使用される具体的な方法は、N個の第1のPQIが指示に使用される具体的な方法と同様であることを理解されたい。簡潔にするために、本明細書では詳細は再び記載されない。
【０１９４】
CRSのN個のグループがマッピングされるREは、ネットワークデバイスがデータを送信するときに考慮される必要があり、CRSのN個のグループがマッピングされるREは、端末デバイスがデータを受信するときにも考慮される必要があることを理解されたい。したがって、CRSのN個のグループがマッピングされたすべてのREの位置が知られている限り、CRSのN個のグループの各々のリソース占有状態は特定されなくてもよい。簡潔にするために、同じまたは同様のケースは以下に記載されない。
【０１９５】
方法2：
【０１９６】
第1の指示情報は、CRSのN個のグループに対応するCRSアンテナポートの数およびCRS周波数オフセットに関する情報であってもよい。言い換えれば、CRSアンテナポートの数およびCRS周波数オフセットは直接示される。
【０１９７】
場合によっては、第1の指示情報は、CRSのN個のグループに対応するCRSアンテナポートの数のN個のインデックス、およびCRSのN個のグループに対応するCRS周波数オフセットのN個のインデックスを含む。
【０１９８】
第1のネットワークデバイスが端末デバイスに第1の指示情報を送信することは、
第1のネットワークデバイスにより、CRSアンテナポートの数のN個のインデックスおよびCRS周波数オフセットのN個のインデックスを端末デバイスに送信することを含む。
【０１９９】
それに対応して、端末デバイスがネットワークデバイスによって送信された第1の指示情報を受信することは、
端末デバイスにより、ネットワークデバイスによって送信されたCRSアンテナポートの数のN個のインデックスおよびCRS周波数オフセットのN個のインデックスを受信することを含み、
端末デバイスが、指示情報に基づいて、CRSのN個のグループによって占有されたリソースを特定することは、
端末デバイスにより、第3のマッピング関係、第4のマッピング関係、CRSアンテナポートの数のN個のインデックス、およびCRS周波数オフセットのN個のインデックスに基づいて、CRSのN個のグループによって占有されたリソースを特定することであって、第3のマッピング関係が、複数のインデックスとCRSアンテナポートの複数の数との間のマッピング関係を示すために使用され、第4のマッピング関係が、複数のインデックスと複数のCRS周波数オフセットとの間のマッピング関係を示すために使用される、特定することを含む。
【０２００】
具体的には、CRSアンテナポートの数のN個のインデックスはCRSのN個のグループに1対1に対応し、CRS周波数オフセットのN個のインデックスはCRSのN個のグループに1対1に対応する。CRSアンテナポートのi番目の数のインデックスは、CRSのi番目のグループが送信されたアンテナポートの数を特定するために使用され、i番目のCRS周波数オフセットのインデックスは、周波数領域リソース内のCRSのi番目のグループによって占有されるREの、プリセットパイロットパターン（たとえば、図3Aおよび図3Bに示されたパイロットパターン）に対するオフセットを示すために使用され、i∈［1，N］であり、iは自然数である。
【０２０１】
Table 2は、CRSアンテナポートの数の複数のインデックスとアンテナポートの複数の数との間のマッピング関係（すなわち、第3のマッピング関係）を示し、Table 3は、CRS周波数オフセットの複数のインデックスと複数のCRS周波数オフセットとの間のマッピング関係（すなわち、第4のマッピング関係）を示す。
【０２０２】
【表４】
2019536353.tif 000010
【０２０３】
本明細書では、図3Aおよび図3Bに示されたパイロットパターンから、同時にCRSを送信するために複数のアンテナポートが使用されるとき、複数のアンテナポートに対応するCRSの複数のグループのうちの任意の2つがマッピングされるREの相対位置がRB内で変化しないことが分かることに留意されたい。たとえば、アンテナポートの数が2であるとき、第1のOFDMシンボルに対して、R0およびR1は周波数領域内の2つのサブキャリアの距離にある。言い換えれば、同時にCRSを送信するために複数のアンテナポートが使用されるとき、複数のアンテナポートに対応するCRSの複数のグループがマッピングされるREの相対位置は、RB内で事前設定された規則を満たす。
【０２０４】
本出願のこの実施形態では、CRSのi番目のグループが送信されるアンテナポートの数を示すことにより、異なるアンテナポートのCRSの相対位置は、事前設定された規則（すなわち、プリセットパイロットパターン）に基づいてRB内で特定されてもよい。
【０２０５】
加えて、複数のアンテナポートのCRSの相対位置がRB内で特定された後、RB内の複数のアンテナポートのCRSによって占有される周波数領域リソースは、周波数オフセットに基づいてさらに特定されてもよい。
【０２０６】
図3Aおよび図3Bに示された2つのアンテナポートのパイロットパターンが、引き続き一例として使用される。下から上に見た第1のOFDMシンボルでは、R0に対応する第1のCRSおよびR1に対応する第1のCRSは、（説明を簡単にするために、CRSユニットとして記録された）全体を形成する。CRSの2つのグループがRB内でマッピングされた位置は、CRSユニットがRB内でマッピングされた位置から推定されてもよいことを理解されたい。
【０２０７】
具体的には、周波数オフセットが0である場合、それは、RB内でCRSユニットによって占有された周波数領域リソースがパイロットパターン内に示された周波数領域リソースと同じであることを示し、周波数オフセットが1である場合、それは、RB内でCRSユニットによって占有された周波数領域リソースとパイロットパターン内に示された周波数領域リソースが1サブキャリアの距離にある、言い換えれば、周波数領域リソースが1サブキャリアだけ上方に移動したことを示し、周波数オフセットが2である場合、それは、RB内でCRSの2つのグループによって占有された周波数領域リソースとパイロットパターン内に示された周波数領域リソースが2サブキャリアの距離にある、言い換えれば、周波数領域リソースが2サブキャリアだけ上方に移動したことを示す。
【０２０８】
1つのアンテナポートが存在するとき、CRS（もしくはCRSユニットと呼ばれ、CRSユニットはただ1つのCRSを含む）の周波数オフセットの最大値は5であってもよく、または2つもしくは4つのアンテナポートが存在するとき、CRSユニット（CRSユニットは2つもしくは4つのCRSを含んでもよい）の周波数オフセットの最大値は2であってもよい。
【０２０９】
図2の（b）〜（d）に示されたシナリオを参照して、以下では、PQIのN個のグループが指示に使用される方法を詳細に記載する。具体的には、N＝2である。
【０２１０】
次いで、図2の（b）を参照すると、図2の（b）に示されたケースでは、第1のネットワークデバイスによって端末デバイスに送信される指示情報は、それぞれ2つのTP（または2つのデータアンテナポート）に対応する、CRSアンテナポートの2つの数のインデックス、および2つのCRS周波数オフセットのインデックスを含んでもよい。
【０２１１】
次いで、図2の（c）を参照すると、図2の（c）に示されたケースでは、第1のネットワークデバイスによって端末デバイスに送信される指示情報は、それぞれ2つのTPに対応する、CRSアンテナポートの2つの数のインデックス、および2つのCRS周波数オフセットのインデックスを含んでもよい。
【０２１２】
次いで、図2の（d）を参照すると、図2の（d）に示されたケースでは、第1のネットワークデバイスによって端末デバイスに送信される指示情報は、それぞれ2つのTP（または2つのデータアンテナポート）に対応する、CRSアンテナポートの2つの数のインデックス、および2つのCRS周波数オフセットのインデックスを含んでもよい。
【０２１３】
方法1および方法2に示されたN＝2は、本出願のこの実施形態の一例にすぎず、本出願のこの実施形態に対するいかなる制限も構成するものではないことを理解されたい。第1のネットワークデバイスが、CRSのN個のグループのリソースを特定するために使用される指示情報を端末デバイスに送信することは、データを送信するために少なくとも1つのネットワークデバイスによって使用されるCRSグループの数Nが2以上である限り、本出願の保護範囲内に入るべきである。
【０２１４】
方法3：
【０２１５】
方法2では、CRSアンテナポートの数およびCRS周波数オフセットが別々に示され、言い換えれば、CRSアンテナポートの数およびCRS周波数オフセットを別々に示すために2つのインデックスが使用される。方法2とは異なり、方法3では、CRSアンテナポートの数およびCRS周波数オフセットが一緒に示され、言い換えれば、CRSアンテナポートの数およびCRS周波数オフセットを示すために1つのインデックスが使用される。
【０２１６】
場合によっては、第1の指示情報は、CRSのN個のグループに対応するCRSアンテナポートの数および周波数オフセットのN個のインデックスを含む。
【０２１７】
第1のネットワークデバイスが端末デバイスに第1の指示情報を送信することは、
第1のネットワークデバイスにより、CRSアンテナポートの数および周波数オフセットのN個のインデックスを端末デバイスに送信することを含む。
【０２１８】
それに対応して、端末デバイスがネットワークデバイスによって送信された第1の指示情報を受信することは、
端末デバイスにより、ネットワークデバイスによって送信されたCRSアンテナポートの数および周波数オフセットのN個のインデックスを受信することを含み、
端末デバイスが、指示情報に基づいて、CRSのN個のグループによって占有されたリソースを特定することは、
端末デバイスにより、第5のマッピング関係ならびにCRSアンテナポートの数および周波数オフセットのN個のインデックスに基づいて、CRSのN個のグループによって占有されたリソースを特定することであって、第5のマッピング関係が、複数のインデックスとCRSアンテナポートの数および周波数オフセットに関する複数の情報との間のマッピング関係を示すために使用される、特定することを含む。
【０２１９】
CRSアンテナポートの数および周波数オフセットのi番目のインデックスは、CRSのi番目のグループが送信されたアンテナポートの数、および周波数領域リソース内でCRSのi番目のグループがマッピングされるREの位置を示すために使用され、i∈［1，N］であり、iは自然数である。
【０２２０】
Table 4は、CRSアンテナポートの数および周波数オフセットの複数のインデックスとCRSアンテナポートの数および周波数オフセットの複数のグループとの間のマッピング関係（すなわち、第5のマッピング関係）を示す。
【０２２１】
【表５】
2019536353.tif 000011
【０２２２】
CRSが送信されたアンテナポートの数と周波数オフセットの両方が、CRSアンテナポートの数および周波数オフセットのインデックスに基づいて特定されてもよいことが分かる。たとえば、CRSのi番目のグループのCRSアンテナポートの数および周波数オフセットのインデックスが1〜6であるとき、CRSのi番目のグループを送信するために使用されるアンテナポートの数は1であり、周波数オフセットはそれぞれ0〜5であり、CRSのi番目のグループのCRSアンテナポートの数および周波数オフセットのインデックスが7〜9であるとき、CRSのi番目のグループを送信するために使用されるアンテナポートの数は2であり、周波数オフセットはそれぞれ0〜2であり、CRSのi番目のグループのCRSアンテナポートの数および周波数オフセットのインデックスが10〜11であるとき、CRSのi番目のグループを送信するために使用されるアンテナポートの数は4であり、周波数オフセットはそれぞれ0〜2である。
【０２２３】
方法4：
【０２２４】
第1の指示情報は構成情報のインデックスを含み、構成情報はCRSのN個のグループの各々のアンテナポートの数および周波数オフセットのインデックスを示す。
【０２２５】
ネットワークデバイスが端末デバイスに第1の指示情報を送信することは、
ネットワークデバイスにより、端末デバイスに構成情報のインデックスを送信することを含む。
【０２２６】
それに対応して、端末デバイスがネットワークデバイスによって送信された第1の指示情報を受信することは、
端末デバイスにより、ネットワークデバイスによって送信された構成情報のインデックスを受信することを含み、
端末デバイスが、指示情報に基づいて、CRSのN個のグループによって占有されたリソースを特定することは、
端末デバイスにより、第6のマッピング関係および構成情報のインデックスに基づいて、CRSのN個のグループによって占有されたリソースを特定することであって、第6のマッピング関係が、構成情報の複数のインデックスとCRSの複数のグループのアンテナポートの数および周波数オフセットのインデックスとの間のマッピング関係を示すために使用されるか、または第6のマッピング関係が、構成情報の複数のインデックスとPQIの複数のグループのインデックスとの間のマッピング関係を示すために使用される、特定することを含む。
【０２２７】
具体的には、構成情報は、データを送信するために使用されるアンテナポート（すなわち、データアンテナポート）の数、CRSアンテナポートの数、および周波数オフセットの間のマッピング関係、またはデータが送信されるレイヤ、CRSアンテナポートの数、および周波数オフセットの間のマッピング関係、またはデータを送信するために使用されるアンテナポートの数、データが送信されるレイヤ、CRSアンテナポートの数、および周波数オフセットの間のマッピング関係を含む。
【０２２８】
本出願のこの実施形態では、構成情報に含まれる具体的な内容について、構成情報に含まれる可能なパラメータセットの複数のグループは、PDSCH上で送信されるRRCシグナリング内で構成されてもよく、またはネットワークデバイスおよび端末デバイスは、構成情報に含まれる可能なパラメータセットの複数のグループを事前交渉し記憶することができる。PDCCH送信では、DCIはPDSCH上で送信される。DCI内の構成情報のインデックスは、どのグループのパラメータセットがデータ送信のために端末デバイスによって現在使用されているかを示すために使用される。
【０２２９】
したがって、方法4では、データを送信するために使用される1つまたは複数のアンテナポートが存在するかどうか、および1つまたは複数のネットワークデバイスが存在するかどうかにかかわらず、言い換えれば、Nが1であるかまたは1より大きい自然数であるかにかかわらず、構成情報の1つのインデックスが指示に使用されてもよい。具体的には、構成情報のインデックスは、CRSのN個のグループに対応するCRSアンテナポートの数および周波数オフセットに関する情報を示すために使用される。
【０２３０】
Table 5は、構成情報の複数のインデックスとCRSの複数のグループのリソースとの間のマッピング関係（すなわち、第6のマッピング関係の一例）を示す。
【０２３１】
【表６】
2019536353.tif 000012
【０２３２】
ネットワークデバイスが複数のレイヤに1つのコードワードをマッピングする（または複数のデータアンテナポートを使用して1つのコードワードが送信される）とき、第1のネットワークデバイスは、各レイヤ（または各データアンテナポート）に対応するCRSアンテナポートの数および周波数オフセットに関する情報を、CRSアンテナポートの数および周波数オフセットに関する情報の形態で端末デバイスに送信することができる。端末デバイスは、各レイヤに対応するCRSアンテナポートの数および周波数オフセットに関する情報に基づいて、CRSによって占有されたリソースを特定することができ、さらに対応するリソースにおけるデータ受信を禁止する。
【０２３３】
さらに、CRSアンテナポートの数および周波数オフセットに関する情報は、CRSアンテナポートの数および周波数オフセットのインデックスを使用して示されてもよい。言い換えれば、第5のマッピング関係は、構成情報の複数のインデックスと、（以下で略してCRSと呼ばれる）CRSの複数のグループのアンテナポートの数および周波数オフセットのインデックスとの間のマッピング関係にさらに変換されてもよい。
【０２３４】
Table 6は、構成情報の複数のインデックスとCRSの複数のグループのインデックスとの間のマッピング関係（すなわち、第6のマッピング関係の別の例）を示す。
【０２３５】
【表７】
2019536353.tif 000013
【０２３６】
CRSのインデックスについては、Table 4に示されたCRSの複数のグループのインデックスとCRSアンテナポートの複数の数および周波数オフセットとの間のマッピング関係を参照されたく、言い換えれば、Table 6はTable 4に基づいて確立される。言い換えれば、CRSのリソースを特定するように端末デバイスに指示するために上記の方法が使用される場合、上記の2つのマッピング関係（すなわち、CRSアンテナポートの数および周波数オフセットの複数のインデックスと、CRSアンテナポートの数および周波数オフセットの複数のグループとの間のマッピング関係、ならびに構成情報の複数のインデックスとCRSの複数のグループのインデックスとの間のマッピング関係）に関する情報が記憶または取得される必要がある。
【０２３７】
Table 6を参照すると、たとえば、構成情報のインデックスが0であるとき、それは、2つのレイヤを使用してデータが送信されることを示す。レイヤ1に対応するCRSアンテナポートの数および周波数オフセットに関する情報は、Table 4においてCRSアンテナポートの数および周波数オフセットのインデックスが10であるときのケースに対応する。言い換えれば、CRSは4つのアンテナポートを介して送信され、4つのアンテナポートに対応するCRSを含むユニットの周波数オフセットは0である。これは、図3Aおよび図3Bにおいてアンテナポートの数が4であるときのパイロットパターンに対応してもよい。レイヤ2に対応するCRSアンテナポートの数および周波数オフセットに関する情報は、Table 4においてCRSアンテナポートの数および周波数オフセットのインデックスが11であるときのケースに対応する。言い換えれば、CRSは4つのアンテナポートを介して送信され、4つのアンテナポートに対応するCRSを含むユニットの周波数オフセットは1である。これは、図3Aおよび図3Bにおいてアンテナポートの数が4であるときの上方に1サブキャリアのオフセットを有するパイロットパターンに対応してもよい。同様に、簡潔にするために、本明細書ではTable 6の中のインデックスは詳細に記載されない。
【０２３８】
場合によっては、CRSアンテナポートの数およびCRS周波数オフセットに関する情報は、第1のPQIを使用して示されてもよい。
【０２３９】
可能な設計では、アンテナポート、スクランブリングアイデンティティ、およびレイヤの数（Antenna port（s），scrambling identity and number of layers）の指示フィールドは、既存のプロトコルにおいて定義されているDCI内で拡張されてもよい。言い換えれば、第1のPQIの指示フィールドを追加するために、既存のプロトコルにおいて定義されているアンテナポート、スクランブリングアイデンティティ、およびレイヤの数の指示フィールドが拡張される。本出願のこの実施形態では、構成情報のインデックスは、データ送信に現在使用されているCRSのN個のグループのリソースが、（アンテナポート、スクランブリングアイデンティティ、レイヤの数、および第1のPQIを含む）上記のパラメータセットの複数のグループのうちのどれであるかを示すために使用される。
【０２４０】
Table 7は、構成情報の複数のインデックスと、アンテナポート、スクランブリングアイデンティティ、レイヤの数、および第1のPQIの指示フィールドを使用して構成され得るパラメータセットの複数のグループとの間のマッピング関係（すなわち、第6のマッピング関係のさらに別の例）を示す。
【０２４１】
【表８】
2019536353.tif 000014
【０２４２】
PQIのインデックスについては、Table 1に示されたPQIの複数グループのインデックスと上位レイヤパラメータの複数グループのインデックスとの間のマッピング関係を参照されたく、CRSのN個のグループのCRSアンテナポートの数および周波数オフセットは、対応する上位レイヤパラメータに基づいてさらに特定され、言い換えれば、Table 7はTable 1に基づいて確立される。言い換えれば、CRSのリソースを特定するように端末デバイスに指示するために上記の方法が使用される場合、上記の2つのマッピング関係（すなわち、PQIの複数グループのインデックスと上位レイヤパラメータの複数グループのインデックスとの間のマッピング関係、ならびに構成情報の複数のインデックスとアンテナポート、スクランブリングアイデンティティ、レイヤの数、および第1のPQIの指示フィールドを使用して構成され得るパラメータセットの複数のグループとの間のマッピング関係）に関する情報が記憶または取得される必要がある。
【０２４３】
別の可能な設計では、既存のプロトコルにおいて定義されているDCIに新しい指示フィールドが追加されてもよく、たとえば、PQIの指示フィールドであってもよい。PQIの指示フィールドは、アンテナポートの数と第1のPQIとの間のマッピング関係、レイヤと第1のPQIとの間のマッピング関係、またはアンテナポートの数、レイヤ、および第1のPQIの間のマッピング関係を示すために使用される。本出願のこの実施形態では、構成情報のインデックスは、データ送信に現在使用されているCRSのN個のグループのリソースが、（データアンテナポート（もしくはDMRSアンテナポート）および第1のPQI、またはレイヤおよび第1のPQI、またはデータアンテナポート、レイヤ、および第1のPQIを含む）上記のパラメータセットの複数のグループのうちのどれであるかを示すために使用される。
【０２４４】
Table 8、Table 9、およびTable 10は、構成情報の複数のインデックスと、PQIの指示フィールドを使用して構成され得るパラメータセットの複数のグループとの間のマッピング関係（すなわち、第6のマッピング関係のまた別の例）を示す。
【０２４５】
【表９】
2019536353.tif 000015
【表１０】
2019536353.tif 000016
【０２４６】
PQIのインデックスについては、Table 1に示されたPQIの複数グループのインデックスと上位レイヤパラメータの複数グループのインデックスとの間のマッピング関係を参照されたく、CRSのN個のグループのCRSアンテナポートの数および周波数オフセットは、対応する上位レイヤパラメータに基づいてさらに特定され、言い換えれば、Table 8、Table 9、およびTable 10はTable 1に基づいて確立される。言い換えれば、CRSのリソースを特定するように端末デバイスに指示するために上記の方法が使用される場合、対応するマッピング関係情報が記憶または取得される必要がある。具体的な処理方法は詳細に上述されており、簡潔にするために、本明細書では詳細は再び記載されない。
【０２４７】
場合によっては、指示情報は、少なくとも1つのターゲットセルのセル識別子、またはセル識別子に対応する少なくとも1つのインデックスおよび少なくとも1つのターゲットセルのアンテナポートの数に関する情報を含む。
【０２４８】
以下で、少なくとも1つのセルのセル識別子のインデックス（方法5）、またはセル識別子および少なくとも1つのセルのアンテナポート構成情報に対応する少なくとも1つのインデックス（方法6）がCRSのリソースを示すために使用される方法を詳細に記載する。
【０２４９】
方法5：
【０２５０】
場合によっては、指示情報は、少なくとも1つのターゲットセルのセル識別子のインデックス、および少なくとも1つのターゲットセルのアンテナポートの数に関する情報を含む。
【０２５１】
第1のネットワークデバイスが端末デバイスに指示情報を送信することは、
第1のネットワークデバイスにより、端末デバイスにデータを送信する少なくとも1つのネットワークデバイスに対応する少なくとも1つのターゲットセルを特定することであって、少なくとも1つのターゲットセルが、複数の協調セルから特定され、複数の協調セルが、端末デバイスにデータを送信するように構成され得る複数のネットワークデバイスに対応する、特定することと、
第1のネットワークデバイスにより、少なくとも1つのターゲットセルのセル識別子および少なくとも1つのターゲットセルのアンテナポートの数に関する情報を端末デバイスに送信することとを含む。
【０２５２】
それに対応して、端末デバイスがネットワークデバイスによって送信された指示情報を受信することは、
端末デバイスにより、ネットワークデバイスによって送信された少なくとも1つのターゲットセルのセル識別子および少なくとも1つのターゲットセルのアンテナポートの数に関する情報のインデックスを受信することを含み、
端末デバイスが、指示情報に基づいて、CRSのN個のグループによって占有されたリソースを特定することは、
端末デバイスにより、第7のマッピング関係、少なくとも1つのターゲットセルのセル識別子のインデックス、および少なくとも1つのターゲットセルのアンテナポートの数に関する情報に基づいて、CRSのN個のグループによって占有されたリソースを特定することであって、第7のマッピング関係が、複数のセル識別子のインデックスと複数のセルのセル識別子との間のマッピング関係を示すために使用される、特定することを含む。
【０２５３】
本出願のこの実施形態では、第1のネットワークデバイスは、RRCシグナリングを使用して複数の協調セルのアンテナ構成情報を構成することができるか、または端末デバイスは、複数の協調セルのアンテナ構成情報を事前に記憶することができる。本明細書に記載された協調セルは、端末デバイスにデータを送信するように（すなわち、CoMP送信向けに）構成され得るネットワークデバイスに対応するセルとして理解されてもよい。
【０２５４】
第1のネットワークデバイスによって送信されたターゲットセルのセル識別子を受信した後、端末デバイスは、第1のネットワークデバイスによって送信されたターゲットセルのアンテナポートの数に関する情報に基づいて、ターゲットセルのアンテナポートの数を特定し、
【０２５５】
【数５】
2019536353.tif 000017
【０２５６】
に従って周波数オフセットを計算して、CRSのN個のグループに対応するアンテナポートの数および周波数オフセットを特定することができる。
【０２５７】
方法6：
【０２５８】
場合によっては、指示情報は、少なくとも1つのターゲットセルのアンテナポート構成情報に対応する少なくとも1つのインデックスを含み、CRSアンテナポート構成情報は、セル識別子および対応するCRSアンテナポートの数、またはセルのCRSアンテナポートの数およびセルのCRS周波数オフセット、またはセル識別子、対応するCRSアンテナポートの数、および対応するCRS周波数オフセットを含む。
【０２５９】
第1のネットワークデバイスが端末デバイスに指示情報を送信することは、
第1のネットワークデバイスにより、端末デバイスにデータを送信する少なくとも1つのネットワークデバイスに対応する少なくとも1つのターゲットセルおよび各ターゲットセルのアンテナポートの数を特定することであって、少なくとも1つのターゲットセルが複数の協調セルから特定され、複数の協調セルが、端末デバイスにデータを送信するように構成され得る複数のネットワークデバイスに対応する、特定することと、
第1のネットワークデバイスにより、少なくとも1つのターゲットセルのアンテナポート構成情報に対応する少なくとも1つのインデックスを端末デバイスに送信することとを含む。
【０２６０】
それに対応して、端末デバイスがネットワークデバイスによって送信された指示情報を受信することは、
端末デバイスにより、ネットワークデバイスによって送信された少なくとも1つのセルのアンテナポート構成情報に対応する少なくとも1つのインデックスを受信することと、
端末デバイスにより、ネットワークデバイスによって送信された少なくとも1つのセル識別子のインデックスを受信することとを含み、
端末デバイスが、指示情報に基づいて、CRSのN個のグループによって占有されたリソースを特定することは、
端末デバイスにより、第8のマッピング関係および少なくとも1つのセルのアンテナポート構成情報に対応する少なくとも1つのインデックスに基づいて、CRSのN個のグループによって占有されたリソースを特定することであって、第8のマッピング関係が、複数のインデックスと複数の協調セルのCRSアンテナポート構成情報との間のマッピング関係を示すために使用される、特定することを含む。
【０２６１】
本出願のこの実施形態では、第1のネットワークデバイスは、RRCシグナリングを使用して複数のインデックスと複数の協調セルのCRSアンテナポート構成情報との間のマッピング関係を構成することができるか、または端末デバイスは、複数の協調セルのセル識別子およびアンテナ構成情報と複数のインデックスとの間のマッピング関係を事前に記憶することができる。
【０２６２】
具体的には、CRSアンテナポート構成情報がセル識別子および対応するCRSアンテナポートの数を示すとき、第1のネットワークデバイスは、データを現在送信しているターゲットセルのCRSアンテナポート構成情報をインデックス形式で端末デバイスに直接送信することができる。端末デバイスは、セル識別子とあらかじめ取得されたCRSアンテナポートの数との間のマッピング関係に基づいて、受信されたインデックスに対応するセルのセル識別子およびセルのアンテナポートの数を特定し、
【０２６３】
【数６】
2019536353.tif 000018
【０２６４】
に従って周波数オフセットを計算して、CRSのN個のグループに対応するアンテナポートの数および周波数オフセットを特定することができる。
【０２６５】
Table 11、Table 12、およびTable 13は、複数のインデックスと複数の協調セルのアンテナ構成情報との間のマッピング関係（すなわち、第8のマッピング関係）を示す。
【０２６６】
【表１１】
2019536353.tif 000019
【表１２】
2019536353.tif 000020
【表１３】
2019536353.tif 000021
【０２６７】
協調セルIDは、セル識別子とCRSアンテナポートの数との間のマッピング関係のインデックスとして理解されてもよい。第1のネットワークデバイスによって送信された指示情報を受信した後、端末デバイスは、インデックスに基づいて、各レイヤまたは各アンテナポートに対応する協調セルIDを特定し、協調セルとアンテナポート構成情報との間のマッピング関係に基づいてターゲットセルのアンテナポートの数をさらに特定し、
【０２６８】
【数７】
2019536353.tif 000022
【０２６９】
に従って周波数オフセットを計算して、CRSのN個のグループに対応するアンテナポートの数および周波数オフセットを特定することができることが分かる。
【０２７０】
アンテナポート構成情報が、セルのCRSアンテナポートの数およびセルのCRS周波数オフセットを示すとき、第1のネットワークデバイスは、データを現在送信しているターゲットセルのCRSアンテナポート構成情報をインデックス形式で端末デバイスに直接送信することができる。端末デバイスは、CRSアンテナポートの数とあらかじめ取得されたCRS周波数オフセットとの間のマッピング関係に基づいて、受信されたインデックスに対応するセルのCRSアンテナポートの数およびCRS周波数オフセットを特定して、CRSのN個のグループに対応するアンテナポートの数および周波数オフセットを特定することができる。
【０２７１】
この場合、Table 11、Table 12、およびTable 13の上記の協調セルIDは、CRSアンテナポートの数とCRS周波数オフセットとの間のマッピング関係のインデックスとして理解されてもよい。
【０２７２】
アンテナポート構成情報が、セル識別子、対応するCRSアンテナポートの数、および対応するCRS周波数オフセットを示すとき、第1のネットワークデバイスは、データを現在送信しているターゲットセルのCRSアンテナポート構成情報をインデックス形式で端末デバイスに直接送信することができる。端末デバイスは、セル識別子、CRSアンテナポートの数、あらかじめ取得されたCRS周波数オフセットとの間のマッピング関係に基づいて、受信されたインデックスに対応するセルのCRSアンテナポートの数およびCRS周波数オフセットを特定して、CRSのN個のグループに対応するアンテナポートの数および周波数オフセットを特定することができる。
【０２７３】
この場合、Table 11、Table 12、およびTable 13の上記の協調セルIDは、セル識別子、CRSアンテナポートの数、およびCRS周波数オフセットの間のマッピング関係のインデックスとして理解されてもよい。
【０２７４】
上記は、方法1から方法6を使用することにより、第1のネットワークデバイスが、指示情報を使用して、CRSのN個のグループによって占有されたリソースを特定するように端末デバイスに指示する具体的な方法を詳細に記載している。上記に示された方法は説明のための例にすぎず、本出願に対するいかなる制限も構成するものではなく、本出願はそれに限定されないことを理解されたい。第1のネットワークデバイスがCRSリソースを示すために使用される指示情報を端末デバイスに送信し、その結果、端末デバイスが指示情報に基づいてCRSリソースを特定し、CRSリソースに基づいてデータを受信する限り、それは本出願の保護範囲内に入る。
【０２７５】
したがって、本出願のこの実施形態のデータ送信方法では、指示情報が端末デバイスに送信され、その結果、端末デバイスはCRSのN個のグループによって占有されたリソースを特定する。したがって、端末デバイスは、データを受信するときにすべてのネットワークデバイスのCRSリソースを考慮して、データを正しく受信し、受信性能を向上させることができる。
【０２７６】
上記に示されたマッピング関係表は説明のための例にすぎず、本出願に対するいかなる制限も構成するものではないことが理解されよう。上記に示されたすべてのマッピング関係は、CRSのN個のグループに対応するインデックス（たとえば、第1のPQIのインデックス、第2のPQIのインデックス、CRSアンテナポートの数のインデックス、CRS周波数オフセットのインデックス、CRSアンテナポートの数および周波数オフセットのインデックス、構成情報のインデックス、セル識別子のインデックス、およびセルのアンテナポート構成情報のインデックス）を含む。
【０２７７】
図2〜図4を参照して、上記で本出願の実施形態のデータ送信方法について詳細に記載し、以下で、図5〜図8を参照して本出願の実施形態のデータ送信装置を詳細に記載する。
【０２７８】
図5は、本出願の一実施形態による端末デバイス500の概略ブロック図である。図5に示されたように、端末デバイス500はトランシーバユニット510および特定ユニット520を含む。
【０２７９】
トランシーバユニット510は、ネットワークデバイスによって送信された指示情報を受信するように構成され、指示情報は、セル固有基準信号CRSのN個のグループによって占有されたリソースを特定するために使用され、Nは2以上の自然数である。
【０２８０】
特定ユニット520は、指示情報に基づいて、CRSのN個のグループによって占有されたリソースを特定するように構成される。
【０２８１】
トランシーバユニット510は、CRSのN個のグループによって占有されたリソースに基づいてデータを受信するようにさらに構成される。
【０２８２】
場合によっては、指示情報は、以下の項目：データに対応するコードワード、コードワードがマッピングされるレイヤ、またはコードワードがマッピングされるアンテナポートのうちの少なくとも1つに対応する。
【０２８３】
場合によっては、トランシーバユニット510は、具体的に、ネットワークデバイスによって送信された第1の指示情報を受信するように構成され、第1の指示情報は、CRSのN個のグループのアンテナポートの数および周波数オフセットを示し、周波数オフセットは、周波数領域リソース内でCRSがマッピングされるリソース要素REの位置を示す。
【０２８４】
場合によっては、トランシーバユニット510は、具体的に、ネットワークデバイスによって送信され、CRSのN個のグループに対応するN個の第1のPQIのインデックスを受信するように構成され、各第1のPQIは、1つのCRSを送信するためのアンテナポートの数および周波数オフセットに関する情報を含む。
【０２８５】
場合によっては、トランシーバユニット510は、具体的に、ネットワークデバイスによって送信され、CRSのN個のグループに対応するS個の第2のPQIのインデックスを受信するように構成され、各第2のPQIは、CRSの少なくとも1つのグループのアンテナポートの数および周波数オフセットに関する情報を含み、S∈［1，N）であり、Sは自然数である。
【０２８６】
場合によっては、第1の指示情報は、CRSのN個のグループに対応する1つの第2のPQIのインデックスであり、第2のPQIは、CRSのN個のグループのアンテナポートの数および周波数オフセットに関する情報を含む。
【０２８７】
場合によっては、第2のPQIのインデックスは、データ送信のために端末デバイスによって現在使用されている物理ダウンリンク共有チャネルリソース要素マッピングおよび準コロケーション構成PDSCH−RE−mapping−QCL−Configパラメータセットを示すために使用される。
【０２８８】
場合によっては、PDSCH−RE−mapping−QCL−Configパラメータセットは、無線リソース制御RRCシグナリングで搬送される。
【０２８９】
場合によっては、第2のPQIは上位レイヤパラメータである。
【０２９０】
場合によっては、トランシーバユニット510は、具体的に、ネットワークデバイスによって送信され、CRSのN個のグループに対応するCRSアンテナポートの数のN個のインデックス、およびネットワークデバイスによって送信され、CRSのN個のグループに対応するCRS周波数オフセットのN個のインデックスを受信するように構成される。
【０２９１】
場合によっては、トランシーバユニット510は、具体的に、ネットワークデバイスによって送信され、CRSのN個のグループに対応するCRSアンテナポートの数および周波数オフセットのN個のインデックスを受信するように構成される。
【０２９２】
場合によっては、トランシーバユニット510は、具体的に、ネットワークデバイスによって送信された構成情報のインデックスを受信するように構成され、構成情報は、CRSのN個のグループの各々のアンテナポートの数および周波数オフセットのインデックスを含む。
【０２９３】
場合によっては、トランシーバユニット510は、具体的に、ネットワークデバイスによって送信された少なくとも1つのセルのセル識別子のインデックス、および少なくとも1つのセルのCRSアンテナポートの数に関する情報を受信するように構成され、セル識別子はCRS周波数オフセットを特定するために使用され、CRS周波数オフセットは周波数領域リソース内でCRSがマッピングされるREの位置を示す。
【０２９４】
場合によっては、トランシーバユニット510は、具体的に、ネットワークデバイスによって送信された少なくとも1つのセルのCRSアンテナポート構成情報に対応する少なくとも1つのインデックスを受信するように構成され、CRSアンテナポート構成情報は、セル識別子および対応するCRSアンテナポートの数、またはセルのCRSアンテナポートの数およびセルのCRS周波数オフセット、またはセル識別子、対応するCRSアンテナポートの数、および対応するCRS周波数オフセットを含む。
【０２９５】
場合によっては、トランシーバユニット510は、具体的に、ネットワークデバイスによって送信されたダウンリンク制御情報DCIを受信するように構成され、DCIは指示情報を含む。
【０２９６】
場合によっては、セル固有基準信号CRSのN個のグループによって占有されるリソースの一部は、1つのコードワードに対応するCRSによって占有されるリソースに対応する。
【０２９７】
本出願のこの実施形態における端末デバイス500は、本出願の実施形態のデータ送信方法における端末デバイスに対応してもよく、端末デバイス500内のモジュールならびに上記の他の動作および／または機能は、それぞれ、図4の方法の対応する手順を実施するために使用される。簡潔にするために、本明細書では詳細は再び記載されない。
【０２９８】
したがって、本出願のこの実施形態では、端末デバイスは、ネットワークデバイスによって送信された指示情報を受信し、指示情報に基づいて、CRSのN個のグループによって占有されたリソースを特定し、その結果、端末デバイスは、データを受信するときにすべてのネットワークデバイスのCRSリソースを考慮して、データを正しく受信し、受信性能を向上させることができる。
【０２９９】
図6は、本出願の一実施形態によるネットワークデバイス600の概略ブロック図である。図6に示されたように、端末デバイス600はトランシーバユニット610を含む。
【０３００】
トランシーバユニット610は、端末デバイスに指示情報を送信するように構成され、指示情報は、CRSのN個のグループによって占有されたリソースを特定するために使用され、CRSのN個のグループによって占有されたリソースは、データを受信するように端末デバイスに指示するために使用され、Nは2以上の自然数である。
【０３０１】
場合によっては、指示情報は、以下の項目：データに対応するコードワード、コードワードがマッピングされるレイヤ、またはコードワードがマッピングされるアンテナポートのうちの少なくとも1つに対応する。
【０３０２】
場合によっては、ネットワークデバイスは、CRSのN個のグループのを送信するためのアンテナポートの数および周波数オフセットを特定するように構成された特定ユニット620をさらに含む。
【０３０３】
トランシーバユニット620は、具体的に、CRSのN個のグループのアンテナポートの数および周波数オフセットに基づいて、CRSのN個のグループのアンテナポートの数および周波数オフセットを示すために使用される第1の指示情報を端末デバイスに送信するように構成され、周波数オフセットは、周波数領域リソース内でCRSがマッピングされるリソース要素REの位置を示すために使用される。
【０３０４】
場合によっては、トランシーバユニット620は、具体的に、CRSのN個のグループに対応するN個の第1のPQIのインデックスを端末デバイスに送信するように構成され、各第1のPQIは、1つのCRSを送信するためのアンテナポートの数および周波数オフセットに関する情報を含む。
【０３０５】
場合によっては、トランシーバユニット620は、具体的に、CRSのN個のグループに対応するS個の第2のPQIのインデックスを端末デバイスに送信するように構成され、各第2のPQIは、CRSの少なくとも1つのグループのアンテナポートの数および周波数オフセットに関する情報を含み、S∈［1，N）であり、Sは自然数である。
【０３０６】
場合によっては、第1の指示情報は、CRSのN個のグループに対応する1つの第2のPQIのインデックスであり、第2のPQIは、CRSのN個のグループのアンテナポートの数および周波数オフセットに関する情報を含む。
【０３０７】
場合によっては、第2のPQIのインデックスは、データ送信のために端末デバイスによって現在使用されている物理ダウンリンク共有チャネルリソース要素マッピングおよび準コロケーション構成PDSCH−RE−mapping−QCL−Configパラメータセットを示すために使用される。
【０３０８】
場合によっては、PDSCH−RE−mapping−QCL−Configパラメータセットは、無線リソース制御RRCシグナリングで搬送される。
【０３０９】
場合によっては、第2のPQIは上位レイヤパラメータである。
【０３１０】
場合によっては、トランシーバユニット620は、具体的に、CRSのN個のグループに対応するCRSアンテナポートの数のN個のインデックス、およびCRSのN個のグループに対応するCRS周波数オフセットのN個のインデックスを端末デバイスに送信するように構成される。
【０３１１】
場合によっては、トランシーバユニット620は、具体的に、CRSのN個のグループに対応するCRSアンテナポートの数および周波数オフセットのN個のインデックスを端末デバイスに送信するように構成される。
【０３１２】
場合によっては、トランシーバユニット620は、具体的に、構成情報のインデックスを端末デバイスに送信するように構成され、構成情報は、CRSのN個のグループの各々のアンテナポートの数および周波数オフセットのインデックスを含む。
【０３１３】
場合によっては、トランシーバユニット620は、具体的に、少なくとも1つのセルのセル識別子のインデックス、および少なくとも1つのセルのアンテナポートの数に関する情報を端末デバイスに送信するように構成され、セル識別子はCRS周波数オフセットを特定するために使用され、CRS周波数オフセットは周波数領域リソース内でCRSがマッピングされるREの位置を示す。
【０３１４】
場合によっては、トランシーバユニット620は、具体的に、少なくとも1つのセルのCRSアンテナポート構成情報に対応する少なくとも1つのインデックスを端末デバイスに送信するように構成され、CRSアンテナポート構成情報は、セル識別子および対応するCRSアンテナポートの数、またはセルのCRSアンテナポートの数およびセルのCRS周波数オフセット、またはセル識別子、対応するCRSアンテナポートの数、および対応するCRS周波数オフセットを含む。
【０３１５】
場合によっては、トランシーバユニット620は、具体的に、端末デバイスにダウンリンク制御情報DCIを送信するように構成され、DCIは指示情報を含む。
【０３１６】
場合によっては、セル固有基準信号CRSのN個のグループによって占有されるリソースの一部は、1つのコードワードに対応するCRSによって占有されるリソースに対応する。
【０３１７】
本出願のこの実施形態におけるネットワークデバイス600は、本出願の実施形態のデータ送信方法における第1のネットワークデバイスに対応してもよく、ネットワークデバイス600内のモジュールならびに上記の他の動作および／または機能は、それぞれ、図4の方法の対応する手順を実施するために使用される。簡潔にするために、本明細書では詳細は再び記載されない。
【０３１８】
したがって、本出願のこの実施形態では、ネットワークデバイスは端末デバイスに指示情報を送信し、その結果、端末デバイスは、指示情報に基づいて、CRSのN個のグループによって占有されたリソースを特定し、データを受信するときにすべてのネットワークデバイスのCRSリソースを考慮して、データを正しく受信し、受信性能を向上させることができる。
【０３１９】
図7は、本出願の一実施形態による端末デバイス700の別の概略ブロック図である。図7に示されたように、端末デバイス700は、トランシーバ710、プロセッサ720、メモリ730、およびバスシステム740を含み、トランシーバ710、プロセッサ720、およびメモリ730は、バスシステム540を使用して互いに接続され、メモリ730は命令を記憶するように構成され、プロセッサ720は、信号を受信および送信するようにトランシーバ710を制御するために、メモリ730に記憶された命令を実行するように構成される。
【０３２０】
図5に示された端末デバイス500内のトランシーバユニット510はトランシーバ710に対応してもよく、図5に示された端末デバイス500内の特定ユニット520はプロセッサ720に対応してもよい。
【０３２１】
図8は、本出願の一実施形態によるネットワークデバイス800の別の概略ブロック図である。図8に示されたように、端末デバイス800は、トランシーバ810、プロセッサ820、メモリ830、およびバスシステム840を含み、トランシーバ810、プロセッサ820、およびメモリ830は、バスシステム540を使用して互いに接続され、メモリ830は命令を記憶するように構成され、プロセッサ820は、信号を受信および送信するようにトランシーバ810を制御するために、メモリ830に記憶された命令を実行するように構成される。
【０３２２】
図6に示されたネットワークデバイス600内のトランシーバユニット610はトランシーバ810に対応してもよく、図6に示されたネットワークデバイス600内の特定ユニット620はプロセッサ820に対応してもよい。
【０３２３】
本出願の実施形態において提供された方法によれば、本出願の一実施形態は、上記のネットワークデバイスおよび1つまたは複数の端末デバイスを含む通信システムをさらに提供する。
【０３２４】
本出願の上記の方法実施形態は、プロセッサに適用されてもよく、プロセッサによって実施されてもよいことに留意されたい。プロセッサは集積回路チップであってもよく、信号処理能力を有する。実施プロセスでは、上記の方法実施形態におけるステップは、プロセッサ内のハードウェア集積論理回路を使用することにより、またはソフトウェアの形態の命令を使用することによって実施することができる。プロセッサは、汎用プロセッサ、デジタル信号プロセッサ（Digital Signal Processor、DSP）、特定用途向け集積回路（Application Specific Integrated Circuit、ASIC）、フィールドプログラマブルゲートアレイ（Field Programmable Gate Array、FPGA）もしくは別のプログラマブル論理デバイス、個別ゲートもしくはトランジスタ論理デバイス、または個別ハードウェア構成要素であってもよい。プロセッサは、本出願の実施形態で開示された方法、ステップ、および論理ブロック図を実装または実施することができる。汎用プロセッサはマイクロプロセッサであってもよく、プロセッサは任意の従来のプロセッサなどであってもよい。本出願の実施形態を参照して開示された方法のステップは、ハードウェア復号プロセッサを使用して直接実行および完了されてもよく、復号プロセッサ内のハードウェアモジュールとソフトウェアモジュールの組合せを使用して実行および完了されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟した記憶媒体内に配置されてもよい。記憶媒体はメモリ内に配置され、プロセッサはメモリ内の情報を読み取り、プロセッサのハードウェアと組み合わせて上記の方法内のステップを完了する。
【０３２５】
本出願の実施形態におけるメモリは、揮発性メモリまたは不揮発性メモリであってもよく、揮発性メモリおよび不揮発性メモリを含んでもよいことを理解されたい。不揮発性メモリは、読取り専用メモリ（Read−Only Memory、ROM）、プログラマブル読取り専用メモリ（Programmable ROM、PROM）、消去可能プログラマブル読取り専用メモリ（Erasable PROM、EPROM）、電気的消去可能プログラマブル読取り専用メモリ（Electrically EPROM、EEPROM）、またはフラッシュメモリであってもよい。揮発性メモリは、外部キャッシュとして使用されるランダムアクセスメモリ（Random Access Memory、RAM）であってもよい。限定的な記述ではなく例として、多くの形態のRAM、たとえば、スタティックランダムアクセスメモリ（Static RAM、SRAM）、ダイナミックランダムアクセスメモリ（Dynamic RAM、DRAM）、同期式ダイナミックランダムアクセスメモリ（Synchronous DRAM、SDRAM）、ダブルデータレート同期式ダイナミックランダムアクセスメモリ（Double Data Rate SDRAM、DDR SDRAM）、拡張同期式ダイナミックランダムアクセスメモリ（Enhanced SDRAM、ESDRAM）、同期リンクダイナミックランダムアクセスメモリ（Synchlink DRAM、SLDRAM）、およびダイレクトランバスダイナミックランダムアクセスメモリ（Direct Rambus RAM、DR RAM）が使用されてもよい。本明細書に記載されたシステムおよび方法のメモリは、これらおよび別の適切なタイプの任意のメモリを含むが、それらに限定されないことに留意されたい。
【０３２６】
上記のプロセスの連番は、本出願の様々な実施形態における実行順序を意味しないことを理解されたい。プロセスの実行順序は、プロセスの機能および内部ロジックに従って決定されるべきであり、本出願の実施形態の実装プロセスに対するいかなる制限とも解釈されるべきではない。
【０３２７】
本明細書で開示された実施形態に記載された例と組み合わせて、ユニットおよびアルゴリズムステップは、電子ハードウェア、またはコンピュータソフトウェアと電子ハードウェアの組合せによって実装されてもよいことを、当業者なら認識されよう。機能がハードウェアによって実施されるか、またはソフトウェアによって実施されるかは、技術的解決策の特定の用途および設計制約条件に依存する。当業者は、様々な方法を使用して、特定の用途ごとに記載された機能を実装することができるが、その実装形態が本出願の範囲を超えると考えられるべきではない。
【０３２８】
便利で簡潔な説明のために、上記のシステム、装置、およびユニットの詳細な動作プロセスについては、上記の方法実施形態内の対応するプロセスを参照されたく、本明細書では詳細は再び記載されないことは、当業者なら明確に理解されよう。
【０３２９】
本出願において提供されたいくつかの実施形態では、開示されたシステム、装置、および方法は他の方式で実装されてもよいことを理解されたい。たとえば、記載された装置実施形態は一例にすぎない。たとえば、ユニット分割は論理的な機能分割にすぎず、実際の実装形態では他の分割であってもよい。たとえば、複数のユニットまたは構成要素は組み合わされるか、または別のシステムに統合されてもよく、いくつかの特徴は無視されるか、または実施されなくてもよい。加えて、表示または説明された相互結合または直接結合または通信接続は、いくつかのインターフェースを使用して実装されてもよい。装置間またはユニット間の間接結合または通信接続は、電気、機械、または他の形態で実装されてもよい。
【０３３０】
別々の構成要素として記載されたユニットは、物理的に分かれていても、分かれていなくてもよく、ユニットとして表示された構成要素は、物理ユニットであってもそうでなくてもよく、1つの場所に配置されてもよく、または複数のネットワークユニットに分散されてもよい。ユニットの一部またはすべては、実施形態の解決策の目的を達成するために、実際の要件に基づいて選択されてもよい。
【０３３１】
加えて、本出願の実施形態における機能ユニットは1つの処理ユニットに統合されてもよく、またはユニットの各々は物理的に単独で存在してもよく、または2つ以上のユニットは1つのユニットに統合されてもよい。
【０３３２】
機能がソフトウェア機能ユニットの形態で実装され、独立した製品として販売または使用されるとき、機能はコンピュータ可読記憶媒体に記憶されてもよい。そのような理解に基づいて、本出願の技術的解決策は本質的に、または従来技術に寄与する部分は、または技術的解決策のうちのいくつかは、ソフトウェア製品の形態で実装されてもよい。コンピュータソフトウェア製品は記憶媒体に記憶され、本出願の実施形態に記載された方法のステップのすべてまたは一部を実施するように、（パーソナルコンピュータ、サーバ、またはネットワークデバイスであってもよい）コンピュータデバイスに命令するためのいくつかの命令を含む。上記の記憶媒体には、USBフラッシュドライブ、リムーバブルハードディスク、読取り専用メモリ（Read−Only Memory、ROM）、ランダムアクセスメモリ（Random Access Memory、RAM）、磁気ディスク、または光ディスクなどの、プログラムコードを記憶することができる任意の媒体が含まれる。
【０３３３】
上記の説明は本出願の具体的な実装形態にすぎず、本出願の保護範囲を限定するものではない。本出願において開示された技術的範囲内で当業者が容易に考え付くいかなる変形または置換も、本出願の保護範囲内に入るべきである。したがって、本出願の保護範囲は、特許請求の範囲の保護範囲に従うべきである。
【符号の説明】
【０３３４】
100  ワイヤレス通信システム
110  第1のネットワークデバイス
120  第2のネットワークデバイス
130  端末デバイス
200  データ送信方法
210  ステップ
220  ステップ
230  ステップ
240  ステップ
500  端末デバイス
510  トランシーバユニット
520  特定ユニット
540  バスシステム
600  ネットワークデバイス
610  トランシーバユニット
620  特定ユニット
700  端末デバイス
710  トランシーバ
720  プロセッサ
730  メモリ
740  バスシステム
800  ネットワークデバイス
810  トランシーバ
820  プロセッサ
830  メモリ
840  バスシステム
【図１】
2019536353.tif 000023
【図２】
2019536353.tif 000024
【図３Ａ】
2019536353.tif 000025
【図３Ｂ】
2019536353.tif 000026
【図４】
2019536353.tif 000027
【図５】
2019536353.tif 000028
【図６】
2019536353.tif 000029
【図７】
2019536353.tif 000030
【図８】
2019536353.tif 000031
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
端末デバイスにより、ネットワークデバイスによって送信された指示情報を受信するステップであって、前記指示情報が、セル固有基準信号（CRS）のN個のグループによって占有されたリソースを特定するために使用され、Nが2以上の自然数である、ステップと、
前記端末デバイスにより、前記指示情報に基づいて、CRSの前記N個のグループによって占有された前記リソースを特定し、CRSの前記N個のグループによって占有された前記リソースに基づいてデータを受信するステップと
を備える、データ送信方法。
【請求項２】
端末デバイスにより、ネットワークデバイスによって送信された指示情報を受信する前記ステップが、
前記端末デバイスにより、前記ネットワークデバイスによって送信された第1の指示情報を受信するステップであって、前記第1の指示情報が、CRSの前記N個のグループのアンテナポートの数および周波数オフセットを示すために使用され、前記周波数オフセットが、周波数領域リソース内で前記CRSがマッピングされるリソース要素REの位置を示す、ステップを備える、請求項1に記載の方法。
【請求項３】
前記第1の指示情報が、CRSの前記N個のグループに対応する1つの第2のPQIのインデックスであり、前記第2のPQIが、CRSの前記N個のグループの前記アンテナポートの数および前記周波数オフセットに関する情報を備える、請求項2に記載の方法。
【請求項４】
前記第2のPQIの前記インデックスが、データ送信のために前記端末デバイスによって現在使用されている物理ダウンリンク共有チャネルリソース要素マッピングおよび準コロケーション構成（PDSCH−RE−mapping−QCL−Config）パラメータセットを示すために使用される、請求項3に記載の方法。
【請求項５】
前記PDSCH−RE−mapping−QCL−Configパラメータセットが、無線リソース制御RRCシグナリングで搬送される、請求項4に記載の方法。
【請求項６】
端末デバイスにより、ネットワークデバイスによって送信された指示情報を受信する前記ステップが、
前記端末デバイスにより、前記ネットワークデバイスによって送信されたダウンリンク制御情報（DCI）を受信するステップであって、前記DCIが前記指示情報を備える、ステップを備える、請求項1から5のいずれか一項に記載の方法。
【請求項７】
CRSの前記N個のグループによって占有される前記リソースの一部が、1つのコードワードに対応するCRSによって占有されるリソースに対応する、請求項1から6のいずれか一項に記載の方法。
【請求項８】
ネットワークデバイスにより、端末デバイスに指示情報を送信するステップであって、前記指示情報が、セル固有基準信号（CRS）のN個のグループによって占有されたリソースを特定するために使用され、CRSの前記N個のグループによって占有された前記リソースが、データを受信するように前記端末デバイスに指示するために使用され、Nが2以上の自然数である、ステップ
を備える、データ送信方法。
【請求項９】
ネットワークデバイスにより、端末デバイスに指示情報を送信する前記ステップが、
前記ネットワークデバイスにより、CRSの前記N個のグループを送信するためのアンテナポートの数および周波数オフセットを特定するステップと、
前記ネットワークデバイスにより、前記端末デバイスに第1の指示情報を送信するステップであって、前記第1の指示情報が、CRSの前記N個のグループの前記アンテナポートの数および前記周波数オフセットを示すために使用され、前記周波数オフセットが、周波数領域リソース内で前記CRSがマッピングされるリソース要素REの位置を示す、ステップとを備える、請求項8に記載の方法。
【請求項１０】
前記第1の指示情報が、CRSの前記N個のグループに対応する1つの第2のPQIのインデックスであり、前記第2のPQIが、CRSの前記N個のグループの前記アンテナポートの数および前記周波数オフセットに関する情報を備える、請求項9に記載の方法。
【請求項１１】
前記第2のPQIの前記インデックスが、データ送信のために前記端末デバイスによって現在使用されている物理ダウンリンク共有チャネルリソース要素マッピングおよび準コロケーション構成（PDSCH−RE−mapping−QCL−Config）パラメータセットを示すために使用される、請求項10に記載の方法。
【請求項１２】
前記PDSCH−RE−mapping−QCL−Configパラメータセットが、無線リソース制御RRCシグナリングで搬送される、請求項11に記載の方法。
【請求項１３】
ネットワークデバイスにより、端末デバイスに指示情報を送信する前記ステップが、
前記ネットワークデバイスにより、前記端末デバイスにダウンリンク制御情報（DCI）を送信するステップであって、前記DCIが前記指示情報を備える、ステップを備える、請求項8から12のいずれか一項に記載の方法。
【請求項１４】
セル固有基準信号CRSの前記N個のグループによって占有される前記リソースの一部が、1つのコードワードに対応するCRSによって占有されるリソースに対応する、請求項8から13のいずれか一項に記載の方法。
【請求項１５】
トランシーバ、プロセッサ、メモリ、およびバスシステムを備える端末デバイスであって、前記トランシーバ、前記プロセッサ、および前記メモリが前記バスシステムを使用して互いに接続され、
前記メモリが命令を記憶するように構成され、前記プロセッサが前記メモリに記憶された前記命令を実行するように構成され、その結果、前記プロセッサが、請求項1から7のいずれか一項に記載の方法を実行する、端末デバイス。
【請求項１６】
トランシーバ、プロセッサ、メモリ、およびバスシステムを備えるネットワークデバイスであって、前記トランシーバ、前記プロセッサ、および前記メモリが前記バスシステムを使用して互いに接続され、
前記メモリが命令を記憶するように構成され、前記プロセッサが前記メモリに記憶された前記命令を実行するように構成され、その結果、前記プロセッサが、請求項8から14のいずれか一項に記載の方法を実行する、ネットワークデバイス。
【請求項１７】
端末デバイスであって、前記端末デバイスが、請求項1から7のいずれか一項に記載の方法を実行するように構成された、端末デバイス。
【請求項１８】
ネットワークデバイスであって、前記ネットワークデバイスが、請求項8から14のいずれか一項に記載の方法を実行するように構成された、ネットワークデバイス。
【請求項１９】
コンピュータプログラムを備えるコンピュータ可読記憶媒体であって、前記コンピュータプログラムがコンピュータ上で動作すると、前記コンピュータが請求項1から14のいずれか一項に記載の方法を実行する、コンピュータ可読記憶媒体。
【請求項２０】
チップであって、前記チップが、コンピュータプログラムを記憶し、前記チップがコンピュータ上で動作すると、前記コンピュータが請求項1から14のいずれか一項に記載の方法を実行する、チップ。
【手続補正２】
【補正対象書類名】明細書
【補正対象項目名】０００１
【補正方法】変更
【補正の内容】
【０００１】
本出願は、参照によりその全体が本明細書に組み込まれる、2016年11月4日に中国国家知識産権局に出願され、「DATA TRANSMISSION METHOD AND APPARATUS」と題する、中国特許出願第201610962416．0号の優先権を主張する。
【手続補正３】
【補正対象書類名】明細書
【補正対象項目名】０００３
【補正方法】変更
【補正の内容】
【０００３】
第3世代パートナーシッププロジェクト（3rd Generation Partnership Project、3GPP）ロングタームエボリューションアドバンスト（Long Term Evolution Advanced、LTE−A）において、協調マルチポイント（Coordinated Multipoint、CoMP）技術では、別々の地理的位置にある複数のネットワーク要素は連携して、ユーザ機器（user equipment、UE）と通信し、セルの端に位置するUEの干渉を低減し、セル端スループット（cell edge throughput）を改善し、それによって信頼性が改善される。
【手続補正４】
【補正対象書類名】明細書
【補正対象項目名】０００４
【補正方法】変更
【補正の内容】
【０００４】
端末デバイスにデータを送信するとき、（たとえば、ネットワークデバイスAおよびネットワークデバイスBとして記録された）複数のネットワークデバイスは、チャネル推定のために端末デバイスにセル固有基準信号（Cell−specific Reference Signal、CRS）を別々に送信する。従来技術では、端末デバイスにダウンリンク制御情報（Downlink Control Information、DCI）を送信するとき、サービングネットワークデバイス（たとえば、ネットワークデバイスA）は、サービングセル（すなわち、サービングネットワークデバイスに対応するセル）を示すために使用されるCRS構成情報をDCIに追加し、その結果、端末デバイスはCRS構成情報に基づいてデータを受信する。
【手続補正５】
【補正対象書類名】明細書
【補正対象項目名】０００５
【補正方法】変更
【補正の内容】
【０００５】
しかしながら、複数のネットワークデバイスが同時に端末デバイスにデータを送信するとき、各ネットワークデバイスはCRSを送信する。端末デバイスは、サービングセルのCRSによって占有された時間周波数リソースのみを知るが、協調セル（たとえば、ネットワークデバイスBに対応するセル）のCRSによって占有された（たとえば、時間周波数リソースAとして記録された）時間周波数リソースは、サービングセルのCRSによって占有された（たとえば、時間周波数リソースBとして記録された）時間周波数リソースとは異なる場合がある。しかしながら、端末デバイスは、ネットワークデバイスが時間周波数リソースAでCRSを送信し、さらに時間周波数リソースBでデータを受信することを知らない。これにより、データ復号エラーが発生し、データ受信性能が低下する。
【手続補正６】
【補正対象書類名】明細書
【補正対象項目名】００１６
【補正方法】変更
【補正の内容】
【００１６】
可能な設計では、第1の指示情報は、CRSのN個のグループに対応するN個の第1の物理ダウンリンク共有チャネルリソース要素マッピングおよび準コロケーションインジケータPQIのインデックスであり、各第1のPQIはCRSの1つのグループのアンテナポートの数および周波数オフセットに関する情報を含み、
端末デバイスにより、ネットワークデバイスによって送信された第1の指示情報を受信するステップは、
端末デバイスにより、ネットワークデバイスによって送信されたN個の第1のPQIのインデックスを受信するステップを含み、
端末デバイスにより、指示情報に基づいて、CRSのN個のグループによって占有されたリソースを特定するステップは、
端末デバイスにより、第1のマッピング関係およびN個の第1のPQIのインデックスに基づいて、CRSのN個のグループによって占有されたリソースを特定するステップであって、第1のマッピング関係が、複数の第1のPQIのインデックスと複数の上位レイヤパラメータグループとの間のマッピング関係を示すために使用される、ステップを含む。
【手続補正７】
【補正対象書類名】明細書
【補正対象項目名】００２０
【補正方法】変更
【補正の内容】
【００２０】
可能な設計では、第1の指示情報は、CRSのN個のグループに対応するS個の第2のPQIのインデックスであり、各第2のPQIはCRSの少なくとも1つのグループのアンテナポートの数および周波数オフセットに関する情報を含み、S∈［1，N）であり、Sは自然数であり、
端末デバイスにより、ネットワークデバイスによって送信された第1の指示情報を受信するステップは、
端末デバイスにより、ネットワークデバイスによって送信されたS個の第2のPQIのインデックスを受信するステップを含み、
端末デバイスにより、指示情報に基づいて、CRSのN個のグループによって占有されたリソースを特定するステップは、
端末デバイスにより、第2のマッピング関係およびS個の第2のPQIのインデックスに基づいて、CRSのN個のグループによって占有されたリソースを特定するステップであって、第2のマッピング関係が、複数の第2のPQIのインデックスと複数の上位レイヤパラメータグループセットとの間のマッピング関係を示すために使用される、ステップを含む。
【手続補正８】
【補正対象書類名】明細書
【補正対象項目名】００２８
【補正方法】変更
【補正の内容】
【００２８】
第1の態様を参照して、第1の態様の第2の可能な実装形態では、指示情報は、少なくとも1つのセルのセル識別子のインデックス、および少なくとも1つのセルのCRSアンテナポートの数に関する情報を含み、セル識別子はCRS周波数オフセットを特定するために使用され、CRS周波数オフセットは周波数領域リソース内でCRSがマッピングされるREの位置を示し、
端末デバイスにより、ネットワークデバイスによって送信された指示情報を受信するステップは、
端末デバイスにより、ネットワークデバイスによって送信された少なくとも1つのセルのセル識別子のインデックス、および少なくとも1つのセルのCRSアンテナポートの数に関する情報を受信するステップを含み、
端末デバイスにより、指示情報に基づいて、CRSのN個のグループによって占有されたリソースを特定するステップは、
端末デバイスにより、第7のマッピング関係、少なくとも1つのセル識別子のインデックス、および少なくとも1つのセルのCRSアンテナポートの数に関する情報に基づいて、CRSのN個のグループによって占有されたリソースを特定するステップであって、第7のマッピング関係が、複数のセル識別子のインデックスと複数のセルのセル識別子との間のマッピング関係を示すために使用される、ステップを含む。
【手続補正９】
【補正対象書類名】明細書
【補正対象項目名】００４３
【補正方法】変更
【補正の内容】
【００４３】
可能な設計では、第1の指示情報は、CRSのN個のグループに対応するN個の第1の物理ダウンリンク共有チャネルリソース要素マッピングおよび準コロケーションインジケータPQIのインデックスであり、各第1のPQIは、CRSの1つのグループのアンテナポートの数および周波数オフセットに関する情報を含み、
ネットワークデバイスにより、端末デバイスに第1の指示情報を送信するステップは、
ネットワークデバイスにより、端末デバイスにN個の第1のPQIのインデックスを送信するステップを含む。
【手続補正１０】
【補正対象書類名】明細書
【補正対象項目名】００６０
【補正方法】変更
【補正の内容】
【００６０】
第3の態様によれば、第1の態様または第1の態様の任意の可能な実装形態による方法を実行するために端末デバイスが提供される。端末デバイスは、第1の態様または第1の態様の任意の可能な実装形態による方法を実行するように構成されたユニットを含んでもよい。
【手続補正１１】
【補正対象書類名】明細書
【補正対象項目名】００６１
【補正方法】変更
【補正の内容】
【００６１】
第4の態様によれば、第2の態様または第2の態様の任意の可能な実装形態による方法を実行するためにネットワークデバイスが提供される。ネットワークデバイスは、第2の態様または第2の態様の任意の可能な実装形態による方法を実行するように構成されたユニットを含んでもよい。
【手続補正１２】
【補正対象書類名】明細書
【補正対象項目名】００６８
【補正方法】変更
【補正の内容】
【００６８】
本出願で提供されるネットワークデバイスは、上記の方法の態様におけるネットワークデバイスの動作を実施する機能を有し、上記の方法の態様に記載されたステップまたは機能を実施するように構成された対応する構成要素（components）を含む。ステップまたは機能は、ソフトウェア、ハードウェア、またはソフトウェアとハードウェアの組合せを使用して実施されてもよい。
【手続補正１３】
【補正対象書類名】明細書
【補正対象項目名】００７３
【補正方法】変更
【補正の内容】
【００７３】
本出願は装置をさらに提供する。装置は、上記の方法の態様における端末の動作を実施する機能を有し、上記の方法の態様に記載されたステップまたは機能を実施するように構成された対応する構成要素（components）を含む。ステップまたは機能は、ソフトウェア、ハードウェア、またはソフトウェアとハードウェアの組合せを使用して実施されてもよい。
【手続補正１４】
【補正対象書類名】明細書
【補正対象項目名】００７９
【補正方法】変更
【補正の内容】
【００７９】
第12の態様によれば、チップシステムが提供され、チップシステムは、上記の態様における機能を実施する、たとえば、上記の方法においてデータおよび／または情報を生成、受信、送信、または処理する際に、ネットワークデバイスをサポートするように構成されたプロセッサを含む。可能な設計では、チップシステムはメモリをさらに含み、メモリはネットワークデバイスに必要なプログラム命令およびデータを記憶するように構成される。チップシステムはチップを含んでもよく、チップおよび他の個別デバイスを含んでもよい。
【手続補正１５】
【補正対象書類名】明細書
【補正対象項目名】００８２
【補正方法】変更
【補正の内容】
【００８２】
本出願における技術的解決策は、モバイル通信用グローバルシステム（Global System of Mobile communication、GSM(登録商標)）、符号分割多元接続（Code Division Multiple Access、CDMA）システム、広帯域符号分割多元接続（Wideband Code Division Multiple Access、WCDMA(登録商標)）システム、汎用パケット無線サービス（General Packet Radio Service、GPRS）、ロングタームエボリューション（Long Term Evolution、LTE）システム、ロングタームエボリューションアドバンスト（Long Term Evolution Advanced、LTE−A）システム、ユニバーサルモバイルテレコミュニケーションシステム（Universal Mobile Telecommunications System、UMTS）、および5Gシステムなどの、様々な通信システムに適用されてもよいことを理解されたい。
【手続補正１６】
【補正対象書類名】明細書
【補正対象項目名】００８４
【補正方法】変更
【補正の内容】
【００８４】
たとえば、第1のネットワークデバイス110または第2のネットワークデバイス120は、発展型ノードB（evolved NodeB、eNB）、無線ネットワークコントローラ（Radio Network Controller、RNC）、ノードB（NodeB、NB）、基地局コントローラ（Base Station Controller、BSC）、トランシーバ基地局（Base Transceiver Station、BTS）、ホームeノードB（たとえば、Home evolved NodeBもしくはHome Node B、HNB）、ベースバンドユニット（BaseBand Unit、BBU）、ワイヤレスフィデリティ（Wireless Fidelity、WIFI）、アクセスポイント（Access Point、AP）、または送信ポイント（transmission reception point、TRP もしくはtransmission point、TP）であってもよく、新無線（new radio、NR）システムなどの5GシステムにおけるgNBまたは送信ポイント（TRPもしくはTP）であってもよく、gNBまたは送信ポイントを含むネットワークノード、たとえば、ベースバンドユニット（BBU）またはデータユニット（DU、data unit）であってもよい。
【手続補正１７】
【補正対象書類名】明細書
【補正対象項目名】００８５
【補正方法】変更
【補正の内容】
【００８５】
いくつかの配置では、gNBは、制御ユニット（control unit、CU）およびデータユニット（DU）を含んでもよい。gNBは、無線周波数ユニット（RFU、radio frequency unit）をさらに含んでもよい。CUはgNBのいくつかの機能を実装し、DUはgNBのいくつかの機能を実装する。たとえば、CUは、無線リソース制御（radio resource control、RRC）レイヤおよびパケットデータコンバージェンスプロトコル（packet data convergence protocol、PDCP）レイヤの機能を実装し、DUは、無線リンク制御（radio link control、RLC）レイヤ、媒体アクセス制御（media access control、MAC）レイヤ、および物理（physical、PHY）レイヤの機能を実装する。RRCレイヤにおける情報は、最終的にPHYレイヤにおける情報になってもよく、PHYレイヤにおける情報から変換されてもよい。したがって、このアーキテクチャでは、RRCレイヤシグナリングまたはPHCPレイヤシグナリングなどの上位レイヤシグナリングも、DUによって送信されている、またはDUおよびRFUによって送信されていると見なされてもよい。
【手続補正１８】
【補正対象書類名】明細書
【補正対象項目名】００９１
【補正方法】変更
【補正の内容】
【００９１】
第1のネットワークデバイスと第2のネットワークデバイスの両方は、たとえば、非セルシナリオでは、サービングネットワークデバイスであってもよいことを理解されたい。
【手続補正１９】
【補正対象書類名】明細書
【補正対象項目名】０１００
【補正方法】変更
【補正の内容】
【０１００】
図2の（a）は、マルチポイントおよびマルチストリームのシナリオを示す。図に示されたように、（たとえば、CW1として記録された）1つのコードワードは、レイヤマッピングを介して（たとえば、レイヤ1として記録された）1つのレイヤにマッピングされてもよく、次いで、（たとえば、ポート1として記録された）データアンテナポートにマッピングされる。データアンテナポートは、（たとえば、TP1として記録された、すなわち、ネットワークデバイスの一例である）TPまたはTRPに属する。言い換えれば、CW1に対応するデータは、ポート1を介してTP1によって端末デバイスに送信される。同様に、（たとえば、CW2として記録された）別のコードワードは、レイヤマッピングを介して（たとえば、レイヤ2として記録された）レイヤにマッピングされてもよく、次いで、（たとえば、ポート2として記録された）データアンテナポートにマッピングされる。データアンテナポートは、（たとえば、TP2として記録された、すなわち、ネットワークデバイスの別の例である）別のTPに属する。言い換えれば、CW2に対応するデータは、ポート2を介してTP2によって端末デバイスに送信される。言い換えれば、異なるTPは異なるコードワードを送信する。この場合、コードワードはレイヤに対応し、レイヤはデータアンテナポートに対応し、データアンテナポートはTPに対応する。
【手続補正２０】
【補正対象書類名】明細書
【補正対象項目名】０１０４
【補正方法】変更
【補正の内容】
【０１０４】
図2の（d）は、マルチポイントブロックコーディング（Multiple Point Block Coding、MPBC）のシナリオを示す。図に示されたように、1つのコードワード（たとえば、CW1）は、レイヤマッピングを介して1つのレイヤ（たとえば、レイヤ1）にマッピングされてもよく、次いで、異なる符号化方式で異なるデータアンテナポート（たとえば、ポート1およびポート2）にマッピングされてもよい。異なるデータアンテナポートは異なるTP（たとえば、TP1およびTP2）に属し、データは異なるTPを使用して端末デバイスに送信される。言い換えれば、異なるTPは、同じコードワードの同じレイヤの同じデータの異なるコード化情報を送信する。この場合、データアンテナポートはTPに対応する。
【手続補正２１】
【補正対象書類名】明細書
【補正対象項目名】０１０５
【補正方法】変更
【補正の内容】
【０１０５】
図2の（d）に示されたシナリオは、空間周波数ブロックコーディング（Space Frequency Block Coding、SFBC）のシナリオにも対応してもよいことを理解されたい。言い換えれば、複数のTPがプリコーディングを別々に実行し、次いで、SFBCを一緒に実行して端末デバイスにデータを送信することができる。
【手続補正２２】
【補正対象書類名】明細書
【補正対象項目名】０１０７
【補正方法】変更
【補正の内容】
【０１０７】
本出願の実施形態の理解を容易にするために、以下で、図3Aおよび図3Bを参照して、異なる数のアンテナポート（たとえば、CRSアンテナポート）の下でのCRSのリソース要素（Resource Element、RE）のマッピング位置図（またはパイロットパターンと呼ばれる）を簡単に記載する。
【手続補正２３】
【補正対象書類名】明細書
【補正対象項目名】０１１９
【補正方法】変更
【補正の内容】
【０１１９】
図4は、デバイス対話の観点からの本出願の実施形態によるデータ送信方法200の概略フローチャートである。方法200は、ワイヤレスエアインターフェースが通信に使用される通信システムに適用されてもよく、通信システムは、少なくとも1つのネットワークデバイスおよび少なくとも1つの端末デバイスを含んでもよい。たとえば、通信システムは、図1に示されたワイヤレス通信システム100であってもよい。
【手続補正２４】
【補正対象書類名】明細書
【補正対象項目名】０１２５
【補正方法】変更
【補正の内容】
【０１２５】
本出願のこの実施形態では、上記の少なくとも1つのネットワークデバイスが少なくとも1つのデータアンテナポートに1つのコードワードをマッピングした後にデータが取得されると仮定する。少なくとも1つのネットワークデバイスが端末デバイスにデータを送信することは、図2に示されたシナリオ（たとえば、図2の（b）〜（d））に対応してもよい。本出願のこの実施形態では、コードワードは上述された例示的なCW1に対応してもよく、第1のネットワークデバイスは上述された例示的なTP1に対応してもよく、第2のネットワークデバイスは上述された例示的なTP2に対応してもよい。
【手続補正２５】
【補正対象書類名】明細書
【補正対象項目名】０１３９
【補正方法】変更
【補正の内容】
【０１３９】
本明細書では、CRSによって占有されるリソースには、空間領域リソース、時間領域リソース、および周波数領域リソースが含まれてもよいことに留意されたい。本出願のこの実施形態では、時間領域リソースのオフセットは、プリセットパイロットパターンに対してゼロであると仮定してもよい。言い換えれば、時間領域リソースはプリセットパイロットパターンに関して不変のままである。周波数領域における周波数オフセットは、セル識別子に基づいて計算される。
【手続補正２６】
【補正対象書類名】明細書
【補正対象項目名】０１４８
【補正方法】変更
【補正の内容】
【０１４８】
指示情報は、以下の項目：データに対応するコードワード、コードワードがマッピングされるレイヤ、またはコードワードがマッピングされるデータアンテナポートのうちの少なくとも1つに対応する。各コードワード、各レイヤ、または各データアンテナポートに対応するCRSによって占有されるリソースは、上記のCRSのN個のグループによって占有されるリソースの一部またはすべてである。データは、少なくとも1つのネットワークデバイスがデータアンテナポートに1つのコードワードをマッピングした後に取得される。
【手続補正２７】
【補正対象書類名】明細書
【補正対象項目名】０１５３
【補正方法】変更
【補正の内容】
【０１５３】
指示情報に基づいて、CRSのN個のグループによって占有されたリソースを特定した後、端末デバイスは、データ受信において、CRSのN個のグループがマッピングされたREをバイパスすることを特定し、これらのRE上でのデータ受信を禁止することができる。
【手続補正２８】
【補正対象書類名】明細書
【補正対象項目名】０１５８
【補正方法】変更
【補正の内容】
【０１５８】
第1のネットワークデバイスが端末デバイスに第1の指示情報を送信することは、以下の4つの方法（すなわち、方法1〜方法4）を含む。
【手続補正２９】
【補正対象書類名】明細書
【補正対象項目名】０１６３
【補正方法】変更
【補正の内容】
【０１６３】
場合によっては、第1の指示情報は、N個の第1の物理ダウンリンク共有チャネルリソース要素マッピングおよび準コロケーションインジケータPQIのインデックスを含み、各第1のPQIは、CRSの1つのグループのアンテナポートの数および周波数オフセットに関する情報を含む。
【手続補正３０】
【補正対象書類名】明細書
【補正対象項目名】０１６５
【補正方法】変更
【補正の内容】
【０１６５】
N個の第1のPQIのインデックスは、CRSのN個のグループに1対1に対応する。i番目の第1のPQIは、CRSのi番目のグループによって占有されたリソースを特定するために使用され、i∈［1，N］であり、iは自然数である。
【手続補正３１】
【補正対象書類名】明細書
【補正対象項目名】０１７１
【補正方法】変更
【補正の内容】
【０１７１】
PDSCH送信では、ネットワークデバイスは、RRCシグナリングを使用して上記の複数のPDSCH−RE−mapping QCL−Configパラメータセット（または上位レイヤパラメータと呼ばれる）を構成することができる。あるいは、ネットワークデバイスおよび端末デバイスは、上記の複数のPDSCH−RE−mapping QCL−Configパラメータセット（または上位レイヤパラメータと呼ばれる）を事前交渉し記憶することができる。PDCCH送信では、DCIはPDCCH上で送信される。DCI内のN個の第1のPQIのインデックスは、データ送信のために端末デバイスによって現在使用されている具体的なPDSCH−RE−mapping QCL−Configパラメータセットを示すために使用され、その結果、端末デバイスはPDSCH−RE−mapping QCL−Configパラメータセットに基づいてレートマッチングを実行する。
【手続補正３２】
【補正対象書類名】明細書
【補正対象項目名】０１７２
【補正方法】変更
【補正の内容】
【０１７２】
DCIは、情報ビット（すなわち、第1のPQIのインデックス）を使用して設定された対応するPDSCH−RE−mapping QCL−Configパラメータセットを示すことができる。表1は、複数の情報ビットと複数のPDSCH−RE−mapping QCL−Configパラメータセットとの間のマッピング関係（すなわち、第1のマッピング関係）を示す。
【手続補正３３】
【補正対象書類名】明細書
【補正対象項目名】０１９１
【補正方法】変更
【補正の内容】
【０１９１】
それに対応して、端末デバイスが、ネットワークデバイスによって送信された第1の指示情報を受信することは、
端末デバイスにより、ネットワークデバイスによって送信されたS個の第2のPQIのインデックスを受信することを含み、
端末デバイスが、指示情報に基づいて、CRSのN個のグループによって占有されたリソースを特定することは、
端末デバイスにより、第2のマッピング関係およびS個の第2のPQIのインデックスに基づいて、CRSのN個のグループによって占有されたリソースを特定することであって、第2のマッピング関係が、複数の第2のPQIのインデックスと複数の上位レイヤパラメータグループセットとの間のマッピング関係を示すために使用される、特定することを含む。
【手続補正３４】
【補正対象書類名】明細書
【補正対象項目名】０２００
【補正方法】変更
【補正の内容】
【０２００】
CRSアンテナポートの数のN個のインデックスはCRSのN個のグループに1対1に対応し、CRS周波数オフセットのN個のインデックスはCRSのN個のグループに1対1に対応する。CRSアンテナポートのi番目の数のインデックスは、CRSのi番目のグループが送信されたアンテナポートの数を特定するために使用され、i番目のCRS周波数オフセットのインデックスは、周波数領域リソース内のCRSのi番目のグループによって占有されるREの、プリセットパイロットパターン（たとえば、図3Aおよび図3Bに示されたパイロットパターン）に対するオフセットを示すために使用され、i∈［1，N］であり、iは自然数である。
【手続補正３５】
【補正対象書類名】明細書
【補正対象項目名】０２０７
【補正方法】変更
【補正の内容】
【０２０７】
周波数オフセットが0である場合、それは、RB内でCRSユニットによって占有された周波数領域リソースがパイロットパターン内に示された周波数領域リソースと同じであることを示し、周波数オフセットが1である場合、それは、RB内でCRSユニットによって占有された周波数領域リソースとパイロットパターン内に示された周波数領域リソースが1サブキャリアの距離にある、言い換えれば、周波数領域リソースが1サブキャリアだけ上方に移動したことを示し、周波数オフセットが2である場合、それは、RB内でCRSの2つのグループによって占有された周波数領域リソースとパイロットパターン内に示された周波数領域リソースが2サブキャリアの距離にある、言い換えれば、周波数領域リソースが2サブキャリアだけ上方に移動したことを示す。
【手続補正３６】
【補正対象書類名】明細書
【補正対象項目名】０２２７
【補正方法】変更
【補正の内容】
【０２２７】
構成情報は、データを送信するために使用されるアンテナポート（すなわち、データアンテナポート）の数、CRSアンテナポートの数、および周波数オフセットの間のマッピング関係、またはデータが送信されるレイヤ、CRSアンテナポートの数、および周波数オフセットの間のマッピング関係、またはデータを送信するために使用されるアンテナポートの数、データが送信されるレイヤ、CRSアンテナポートの数、および周波数オフセットの間のマッピング関係を含む。
【手続補正３７】
【補正対象書類名】明細書
【補正対象項目名】０２２８
【補正方法】変更
【補正の内容】
【０２２８】
本出願のこの実施形態では、構成情報に含まれる具体的な内容について、構成情報に含まれる可能なパラメータセットの複数のグループは、PDSCH上で送信されるRRCシグナリング内で構成されてもよく、またはネットワークデバイスおよび端末デバイスは、構成情報に含まれる可能なパラメータセットの複数のグループを事前交渉し記憶することができる。PDCCH送信では、DCIはPDCCH上で送信される。DCI内の構成情報のインデックスは、どのグループのパラメータセットがデータ送信のために端末デバイスによって現在使用されているかを示すために使用される。
【手続補正３８】
【補正対象書類名】明細書
【補正対象項目名】０２２９
【補正方法】変更
【補正の内容】
【０２２９】
したがって、方法4では、データを送信するために使用される1つまたは複数のアンテナポートが存在するかどうか、および1つまたは複数のネットワークデバイスが存在するかどうかにかかわらず、言い換えれば、Nが1であるかまたは1より大きい自然数であるかにかかわらず、構成情報の1つのインデックスが指示に使用されてもよい。構成情報のインデックスは、CRSのN個のグループに対応するCRSアンテナポートの数および周波数オフセットに関する情報を示すために使用される。
【手続補正３９】
【補正対象書類名】明細書
【補正対象項目名】０２３１
【補正方法】変更
【補正の内容】
【０２３１】
【表６】
2019536353.tif 000032
【手続補正４０】
【補正対象書類名】明細書
【補正対象項目名】０２３３
【補正方法】変更
【補正の内容】
【０２３３】
さらに、CRSアンテナポートの数および周波数オフセットに関する情報は、CRSアンテナポートの数および周波数オフセットのインデックスを使用して示されてもよい。言い換えれば、第6のマッピング関係は、構成情報の複数のインデックスと、（以下で略してCRSと呼ばれる）CRSの複数のグループのアンテナポートの数および周波数オフセットのインデックスとの間のマッピング関係にさらに変換されてもよい。
【手続補正４１】
【補正対象書類名】明細書
【補正対象項目名】０２３９
【補正方法】変更
【補正の内容】
【０２３９】
可能な設計では、アンテナポート、スクランブリングアイデンティティ、およびレイヤの数（Antenna port（s），scrambling identity and a quantity of layers）の指示フィールドは、既存のプロトコルにおいて定義されているDCI内で拡張されてもよい。言い換えれば、第1のPQIの指示フィールドを追加するために、既存のプロトコルにおいて定義されているアンテナポート、スクランブリングアイデンティティ、およびレイヤの数の指示フィールドが拡張される。本出願のこの実施形態では、構成情報のインデックスは、データ送信に現在使用されているCRSのN個のグループのリソースが、（アンテナポート、スクランブリングアイデンティティ、レイヤの数、および第1のPQIを含む）上記のパラメータセットの複数のグループのうちのどれであるかを示すために使用される。
【手続補正４２】
【補正対象書類名】明細書
【補正対象項目名】０２５３
【補正方法】変更
【補正の内容】
【０２５３】
本出願のこの実施形態では、第1のネットワークデバイスは、RRCシグナリングを使用して複数の協調セルのアンテナポート構成情報を構成することができるか、または端末デバイスは、複数の協調セルのアンテナポート構成情報を事前に記憶することができる。本明細書に記載された協調セルは、端末デバイスにデータを送信するように（すなわち、CoMP送信向けに）構成され得るネットワークデバイスに対応するセルとして理解されてもよい。
【手続補正４３】
【補正対象書類名】明細書
【補正対象項目名】０２６１
【補正方法】変更
【補正の内容】
【０２６１】
本出願のこの実施形態では、第1のネットワークデバイスは、RRCシグナリングを使用して複数のインデックスと複数の協調セルのCRSアンテナポート構成情報との間のマッピング関係を構成することができるか、または端末デバイスは、複数の協調セルのセル識別子およびアンテナポート構成情報と複数のインデックスとの間のマッピング関係を事前に記憶することができる。
【手続補正４４】
【補正対象書類名】明細書
【補正対象項目名】０２６２
【補正方法】変更
【補正の内容】
【０２６２】
CRSアンテナポート構成情報がセル識別子および対応するCRSアンテナポートの数を示すとき、第1のネットワークデバイスは、データを現在送信しているターゲットセルのCRSアンテナポート構成情報をインデックス形式で端末デバイスに直接送信することができる。端末デバイスは、セル識別子とあらかじめ取得されたCRSアンテナポートの数との間のマッピング関係に基づいて、受信されたインデックスに対応するセルのセル識別子およびセルのアンテナポートの数を特定し、
【手続補正４５】
【補正対象書類名】明細書
【補正対象項目名】０２６５
【補正方法】変更
【補正の内容】
【０２６５】
Table 11、Table 12、およびTable 13は、複数のインデックスと複数の協調セルのアンテナポート構成情報との間のマッピング関係（すなわち、第8のマッピング関係）を示す。
【手続補正４６】
【補正対象書類名】明細書
【補正対象項目名】０３０３
【補正方法】変更
【補正の内容】
【０３０３】
トランシーバユニット610は、具体的に、CRSのN個のグループのアンテナポートの数および周波数オフセットに基づいて、CRSのN個のグループのアンテナポートの数および周波数オフセットを示すために使用される第1の指示情報を端末デバイスに送信するように構成され、周波数オフセットは、周波数領域リソース内でCRSがマッピングされるリソース要素REの位置を示すために使用される。
【手続補正４７】
【補正対象書類名】明細書
【補正対象項目名】０３０４
【補正方法】変更
【補正の内容】
【０３０４】
場合によっては、トランシーバユニット610は、具体的に、CRSのN個のグループに対応するN個の第1のPQIのインデックスを端末デバイスに送信するように構成され、各第1のPQIは、1つのCRSを送信するためのアンテナポートの数および周波数オフセットに関する情報を含む。
【手続補正４８】
【補正対象書類名】明細書
【補正対象項目名】０３０５
【補正方法】変更
【補正の内容】
【０３０５】
場合によっては、トランシーバユニット610は、具体的に、CRSのN個のグループに対応するS個の第2のPQIのインデックスを端末デバイスに送信するように構成され、各第2のPQIは、CRSの少なくとも1つのグループのアンテナポートの数および周波数オフセットに関する情報を含み、S∈［1，N）であり、Sは自然数である。
【手続補正４９】
【補正対象書類名】明細書
【補正対象項目名】０３１０
【補正方法】変更
【補正の内容】
【０３１０】
場合によっては、トランシーバユニット610は、具体的に、CRSのN個のグループに対応するCRSアンテナポートの数のN個のインデックス、およびCRSのN個のグループに対応するCRS周波数オフセットのN個のインデックスを端末デバイスに送信するように構成される。
【手続補正５０】
【補正対象書類名】明細書
【補正対象項目名】０３１１
【補正方法】変更
【補正の内容】
【０３１１】
場合によっては、トランシーバユニット610は、具体的に、CRSのN個のグループに対応するCRSアンテナポートの数および周波数オフセットのN個のインデックスを端末デバイスに送信するように構成される。
【手続補正５１】
【補正対象書類名】明細書
【補正対象項目名】０３１２
【補正方法】変更
【補正の内容】
【０３１２】
場合によっては、トランシーバユニット610は、具体的に、構成情報のインデックスを端末デバイスに送信するように構成され、構成情報は、CRSのN個のグループの各々のアンテナポートの数および周波数オフセットのインデックスを含む。
【手続補正５２】
【補正対象書類名】明細書
【補正対象項目名】０３１３
【補正方法】変更
【補正の内容】
【０３１３】
場合によっては、トランシーバユニット610は、具体的に、少なくとも1つのセルのセル識別子のインデックス、および少なくとも1つのセルのアンテナポートの数に関する情報を端末デバイスに送信するように構成され、セル識別子はCRS周波数オフセットを特定するために使用され、CRS周波数オフセットは周波数領域リソース内でCRSがマッピングされるREの位置を示す。
【手続補正５３】
【補正対象書類名】明細書
【補正対象項目名】０３１４
【補正方法】変更
【補正の内容】
【０３１４】
場合によっては、トランシーバユニット610は、具体的に、少なくとも1つのセルのCRSアンテナポート構成情報に対応する少なくとも1つのインデックスを端末デバイスに送信するように構成され、CRSアンテナポート構成情報は、セル識別子および対応するCRSアンテナポートの数、またはセルのCRSアンテナポートの数およびセルのCRS周波数オフセット、またはセル識別子、対応するCRSアンテナポートの数、および対応するCRS周波数オフセットを含む。
【手続補正５４】
【補正対象書類名】明細書
【補正対象項目名】０３１５
【補正方法】変更
【補正の内容】
【０３１５】
場合によっては、トランシーバユニット610は、具体的に、端末デバイスにダウンリンク制御情報DCIを送信するように構成され、DCIは指示情報を含む。
【手続補正５５】
【補正対象書類名】明細書
【補正対象項目名】０３１９
【補正方法】変更
【補正の内容】
【０３１９】
図7は、本出願の一実施形態による端末デバイス700の別の概略ブロック図である。図7に示されたように、端末デバイス700は、トランシーバ710、プロセッサ720、メモリ730、およびバスシステム740を含み、トランシーバ710、プロセッサ720、およびメモリ730は、バスシステム740を使用して互いに接続され、メモリ730は命令を記憶するように構成され、プロセッサ720は、信号を受信および送信するようにトランシーバ710を制御するために、メモリ730に記憶された命令を実行するように構成される。
【手続補正５６】
【補正対象書類名】明細書
【補正対象項目名】０３２１
【補正方法】変更
【補正の内容】
【０３２１】
図8は、本出願の一実施形態によるネットワークデバイス800の別の概略ブロック図である。図8に示されたように、ネットワークデバイス800は、トランシーバ810、プロセッサ820、メモリ830、およびバスシステム840を含み、トランシーバ810、プロセッサ820、およびメモリ830は、バスシステム740を使用して互いに接続され、メモリ830は命令を記憶するように構成され、プロセッサ820は、信号を受信および送信するようにトランシーバ810を制御するために、メモリ830に記憶された命令を実行するように構成される。
【国際調査報告】
2019536353.tif 000033
2019536353.tif 000034
2019536353.tif 000035
2019536353.tif 000036